(57)【要約】      （修正有）【課題】クラブの性能を高めるためにクラブヘッド全体にわたって重量減少特性と重量分散の改善を有するゴルフクラブ及びゴルフクラブヘッドを提供する。【解決手段】ゴルフクラブヘッド２００は、打球フェースと、打球フェースの反対側の背面２１２と、クラウンと、ソール２１５と、ヒール２１８と、トゥ２１６とを有するボディ２０２を有する。ボディは、ソール上に周縁によって画定された空隙２３０を有する。ボディは、空隙上を延びてクラウンの少なくとも一部分を形成するカバーをさらに画定する。空隙の周縁の少なくとも一部分は、周縁から内側へ空隙内に延びるリップ２４７を含む。加えて、又は代えて、ゴルフクラブヘッドは、ソールに接続されているとともにソール内に開口を有する一又は複数のウェイト受け入れ部２４２を有し、各ウェイト受け入れ部が開口を通じてウェイトの挿入を受け入れるように構成されてもよい。【選択図】図４
2019080940.tif 000002
【特許請求の範囲】
【請求項１】
打球フェースと、前記打球フェースの反対側の背面と、クラウンと、ソールと、ヒールと、トゥとを有するボディを備え、前記ボディは、前記ソール上の周縁によって画定された空隙を有し、前記ボディは、前記空隙上を延びて前記クラウンの少なくとも一部分を形成するカバーをさらに画定しており、前記空隙の前記周縁の少なくとも一部分が、前記周縁から内側に前記空隙内へと延びるリップを含む、ゴルフクラブヘッド。
【請求項２】
前記ソールに接続されているとともに前記ソール内に開口を有するウェイト受け入れ部をさらに備え、前記ウェイト受け入れ部は前記開口を通じてウェイトの挿入を受け入れるように構成されている、請求項１に記載のゴルフクラブヘッド。
【請求項３】
前記ウェイト受け入れ部は、前記クラウンの下側及び前記ソールの上側に接続されて前記クラウンから前記ソールに延びる受け入れチューブを備える、請求項２に記載のゴルフクラブヘッド。
【請求項４】
前記受け入れチューブ内に受け入れられたウェイトをさらに備え、前記ウェイトは、重量部分と軽量部分とを有し、前記ウェイトは、取り外し可能であるとともに、前記ヘッドの重量特性を調整するために、前記受け入れチューブ内の複数の位置へ挿入可能である、請求項３に記載のゴルフクラブヘッド。
【請求項５】
前記受け入れチューブは、前記開口に近接するねじ部を含み、前記ヘッドは、前記受け入れチューブ内で前記ねじ部と取り外し可能に係合して前記受け入れチューブ内に前記ウェイトを保持するねじ付き締結具をさらに備える、請求項４に記載のゴルフクラブヘッド。
【請求項６】
前記ソールは、前記ソール内で隣接するエリアに対して内側へ凹設された凹部エリアを有し、前記凹部エリアは前記開口を取り囲んでいる、請求項３に記載のゴルフクラブヘッド。
【請求項７】
頂部から前記ソールまで延びるとともに前記ウェイト受け入れ部から前記ボディの前記トゥまで延びる第１の壁と、前記頂部から前記ソールまで延びるとともに前記ウェイト受け入れ部から前記ボディの前記ヒールまで延びる第２の壁とをさらに備えており、前記第１の壁及び前記第２の壁は、前記第１の壁及び前記第２の壁と前記フェースとの間に完全に囲まれた内側空洞を画定しており、前記第１の壁及び前記第２の壁は、前記空隙を前記内側空洞から分離している、請求項２に記載のゴルフクラブヘッド。
【請求項８】
前記リップは、前記周縁全体の周りを延びている、請求項１に記載のゴルフクラブヘッド。
【請求項９】
前記周縁は、前記空隙をＵ字形状に画定しており、前記Ｕ字形状は、前記ボディの前記背面近傍から前記フェースに向かって延びるヒール部分及びトゥ部分と、前記ボディの前記背面近傍において前記ヒール部分と前記トゥ部分とを接続する接続部分とを有し、前記空隙は、前記ソール上で前記フェースに近接する点から後方に延びる半島部を画定しており、前記ヒール部分及び前記トゥ部分は前記半島部の両側に位置する、請求項１に記載のゴルフクラブヘッド。
【請求項１０】
前記リップは、前記半島部の全体の周りを延びる、請求項９に記載のゴルフクラブヘッド。
【請求項１１】
前記ボディの頂部から前記ソールまで延びるとともに前記ボディの前記ヒールから前記トゥまで延びる少なくとも一つの壁をさらに備え、前記少なくとも一つの壁と前記フェースとの間に完全に囲まれた内側空洞が画定されており、前記少なくとも一つの壁は、前記空隙を前記内側空洞から分離している、請求項１に記載のゴルフクラブヘッド。
【請求項１２】
請求項１に記載のゴルフクラブヘッドと、前記ゴルフクラブヘッドに接続されたシャフトとを備えるゴルフクラブ。
【請求項１３】
打球フェースと、前記打球フェースの反対側の背面と、クラウンと、ソールと、ヒールと、トゥとを有するボディであって、前記ソール上の周縁によって画定された空隙を有するとともに、前記空隙上を延びてクラウンの少なくとも一部分を形成するカバーをさらに画定する前記ボディと
前記ソールに接続されるとともに前記ソール内に開口を有し、前記開口を通じてウェイトの挿入を受け入れるように構成されたウェイト受け入れ部であって、前記クラウンの下側及び前記ソールの上側に接続されて前記クラウンから前記ソールまで延びる受け入れチューブをさらに有し、前記受け入れチューブの外面の少なくとも一部分が前記空隙に露出されるウェイト受け入れ部と、
を備えるゴルフクラブヘッド。
【請求項１４】
前記受け入れチューブ内に受け入れられたウェイトをさらに備え、前記ウェイトは、重量部分と軽量部分とを有し、前記ウェイトは、取り外し可能であるとともに、前記ヘッドの重量特性を調整するために、前記受け入れチューブ内の複数の位置へ挿入可能である、請求項１３に記載のゴルフクラブヘッド。
【請求項１５】
前記受け入れチューブは、前記開口に近接するねじ部を含み、前記ヘッドは、前記受け入れチューブ内で前記ねじ部と取り外し可能に係合することによって前記受け入れチューブ内に前記ウェイトを保持するねじ付き締結具をさらに備える、請求項１４に記載のゴルフクラブヘッド。
【請求項１６】
前記ソールは、前記ソール内で隣接するエリアに対して内側へ凹設された凹部エリアを有し、前記凹部エリアは前記開口を取り囲んでいる、請求項１３に記載のゴルフクラブヘッド。
【請求項１７】
頂部から前記ソールまで延びるとともに前記受け入れチューブから前記ボディの前記トゥまで延びる第１の壁と、前記頂部から前記ソールまで延びるとともに前記受け入れチューブから前記ボディの前記ヒールまで延びる第２の壁とをさらに備えており、前記第１の壁及び前記第２の壁は、前記第１の壁及び前記第２の壁と前記フェースとの間に完全に囲まれた内側空洞を画定しており、前記第１の壁及び前記第２の壁は、前記空隙を前記内側空洞から分離している、請求項１３に記載のゴルフクラブヘッド。
【請求項１８】
前記周縁全体の周りで前記周縁から内側に前記空隙内へと延びるリップをさらに備える、請求項１３に記載のゴルフクラブヘッド。
【請求項１９】
前記周縁は、前記空隙をＵ字形状に画定しており、前記Ｕ字形状は、前記ボディの前記背面近傍から前記フェースに向かって延びるヒール部分及びトゥ部分と、前記ボディの前記背面近傍において前記ヒール部分と前記トゥ部分とを接続する接続部分とを有し、前記空隙は、前記ソール上で前記フェースに近接する点から後方に延びる半島部を画定ており、前記ヒール部分及び前記トゥ部分は前記半島部の両側に位置しており、前記受け入れチューブは、前記半島部に接続されており、前記開口が前記半島部を通過している、請求項１３に記載のゴルフクラブヘッド。
【請求項２０】
前記受け入れチューブは、前記ゴルフクラブヘッドの垂直軸に沿って設けられている、請求項１３に記載のゴルフクラブヘッド。
【請求項２１】
前記受け入れチューブは、前記ゴルフクラブヘッドの垂直軸に対して角度が付けられている、請求項１３に記載のゴルフクラブヘッド。
【請求項２２】
前記ソールに接続されているとともに前記ソール内に第２の開口を有する第２のウェイト受け入れ部をさらに備え、前記第２のウェイト受け入れ部は、前記第２の開口を通じて第２のウェイトの挿入を受け入れるように構成されているとともに、前記クラウンの下側及び前記ソールの上側に接続されて前記クラウンから前記ソールまで延びる第２の受け入れチューブをさらに有し、前記第１のウェイト受け入れ部と前記第２のウェイト受け入れ部とは、互いに斜角を成す向きで設けられている、請求項１３に記載のゴルフクラブヘッド。
【請求項２３】
前記受け入れチューブ内に受け入れられたウェイトと、前記第２の受け入れチューブ内に受け入れられた第２のウェイトとをさらに備え、前記ウェイト及び前記第２のウェイトの各々は、重量部分と軽量部分とを有し、前記ウェイト及び前記第２のウェイトは、取り外し可能であるとともに、前記ヘッドの重量特性を調整するために、それぞれ前記受け入れチューブ及び前記第２の受け入れチューブ内の複数の位置まで挿入可能である、請求項２２に記載のゴルフクラブヘッド。
【請求項２４】
請求項１３に記載のゴルフクラブヘッドと、前記ゴルフクラブヘッドに接続されたシャフトとを備えるゴルフクラブ。
【請求項２５】
打球フェースと、前記打球フェースの反対側の背面と、クラウンと、ソールと、ヒールと、トゥと、ボディの中央領域に近接するインターフェースエリアとを有するとともに、前記インターフェースエリアから離れるように前記背面及び前記ヒールに向かって延びる第１のレッグと、前記インターフェースエリアから離れるように前記背面及び前記トゥに向かって延びる第２のレッグとをさらに有し、前記第１のレッグと前記第２のレッグとの間に空隙が画定されている、ボディと、
前記ソールに接続されているとともに前記ソール内に前記インターフェースエリアに近接する第１の開口を有し、前記第１の開口を通じて第１のウェイトの挿入を受け入れるように構成されており、前記第１の開口から前記第１のレッグに沿って前記背面及び前記ヒールに向かって延びる、第１のウェイト受け入れ部と、
前記ソールに接続されているとともに前記ソール内に前記インターフェースエリアに近接する第２の開口を有し、前記第２の開口を通じて第２のウェイトの挿入を受け入れるように構成されており、前記第２の開口から前記第２のレッグに沿って前記背面及び前記ヒールに向かって延びる、第２のウェイト受け入れ部と、
を備えるゴルフクラブヘッド。
【請求項２６】
前記第１のウェイト受け入れ部は、第１の円筒状受け入れチューブを備え、前記第２のウェイト受け入れ部は、第２の円筒状受け入れチューブを備える、請求項２５に記載のゴルフクラブヘッド。
【請求項２７】
前記第１の受け入れチューブ内に受け入れられた第１の円筒状のウェイトと、前記第２の受け入れチューブ内に受け入れられた第２の円筒状のウェイトとをさらに備え、前記第１のウェイト及び前記第２のウェイトの各々は、重量部分と軽量部分とを有し、前記第１のウェイト及び前記第２のウェイトは、取り外し可能であるとともに、前記ヘッドの重量特性を調整するために、それぞれ前記第１の受け入れチューブ及び前記第２の受け入れチューブ内の複数の位置まで挿入可能である、請求項２６に記載のゴルフクラブヘッド。
【請求項２８】
前記第１の受け入れチューブが、前記第１の開口に近接したねじ部を含み、前記第２の受け入れチューブが、前記第２の開口に近接したねじ部を含み、前記ヘッドが、前記第１の受け入れチューブ内で前記第１のウェイトを保持するために前記第１の受け入れチューブ内の前記ねじ部と解放可能に係合する第１のねじ付き締結具と、前記第２の受け入れチューブ内で前記第２のウェイトを保持するために前記第２の受け入れチューブ内の前記ねじ部と解放可能に係合する第２のねじ付き締結具とをさらに備える、請求項２７に記載のゴルフクラブヘッド。
【請求項２９】
前記ボディが、前記ソールの隣接エリアに対して内側に凹設された、前記第１のレッグ上の第１の凹部エリアをさらに備え、前記第１の凹部エリアが前記第１の開口を取り囲み、前記ボディが、前記ソールの隣接エリアに対して内側に凹設された、前記第２のレッグ上の第２の凹部エリアをさらに備え、前記第２の凹部エリアが前記第２の開口を取り囲む、請求項２５に記載のゴルフクラブヘッド。
【請求項３０】
前記ボディが、前記ソール上で前記インターフェースエリアに平坦化されたキールをさらに有し、前記インターフェースエリアが、前記２つのレッグの間に配置され、前記ソールから前記クラウンの下側まで延びる傾斜した平面状中央面と、前記中央面の両側に配置され、前記中央面に対して鈍角をなして方向付けられた２つの傾斜した平面状側面とを備え、前記側面が、前記キールから前記第１の凹部エリア及び前記第２の凹部エリアまで内側に延びる、請求項２９に記載のゴルフクラブヘッド。
【請求項３１】
請求項２５に記載のゴルフクラブヘッドと、前記ゴルフクラブヘッドに接続されたシャフトとを備えるゴルフクラブ。
【請求項３２】
打球フェースと、前記打球フェースの反対側の背面と、クラウンと、ソールと、ヒールと、トゥとを有するボディと、
第１のウェイト受け入れ部であって、前記ソールに接続され、前記第１のウェイト受け入れ部が第１の開口を通しての第１のウェイトの挿入を受け入れるように構成されるように、前記ボディの中央領域に近接して前記ソール内に前記第１の開口を有し、前記ソールに接続されて前記ソールから前記クラウンに向かって内側に延びる第１の受け入れチューブを備える、第１のウェイト受け入れ部と、
第２のウェイト受け入れ部であって、前記ソールに接続され、前記第２のウェイト受け入れ部が第２の開口を通しての第２のウェイトの挿入を受け入れるように構成されるように、前記ボディの前記背面に近接して前記第２の開口を有し、前記ソールに接続されて前記ボディの前記背面から前記フェースに向かって前方に延びる第２の受け入れチューブを備える、第２のウェイト受け入れ部と
を備えるゴルフクラブヘッド。
【請求項３３】
前記ボディは、前記ボディの前記中央領域に近接するインターフェースエリアをさらに備え、前記第１の受け入れチューブは、前記インターフェースエリアに配置されており、前記ボディは、前記インターフェースエリアから離れるように前記背面及び前記ヒールに向かって延びる第１のレッグと、前記インターフェースエリアから離れるように前記背面及び前記トゥに向かって延びる第２のレッグとをさらに有し、前記第１のレッグと前記第２のレッグとの間に空隙が画定されている、請求項３２に記載のゴルフクラブヘッド。
【請求項３４】
前記第２の受け入れチューブは、前記第１のレッグと前記第２のレッグとの間で前記インターフェースエリアから後方に延びる、請求項３３に記載のゴルフクラブヘッド。
【請求項３５】
前記ボディは、前記レッグの間において前記ボディの前記背面の一部の周りを延びる背面リムをさらに備え、前記背面リムは、前記レッグ及び前記インターフェースエリアと結合して前記空隙を画定しており、前記背面リムは、前記第２の受け入れチューブの開放端を支持及び懸架しており、前記インターフェースエリアは、前記第２の受け入れチューブの閉塞端を支持及び懸架しており、前記第２の受け入れチューブは、前記空隙内に懸架されている、請求項３４に記載のゴルフクラブヘッド。
【請求項３６】
前記第１の受け入れチューブ内に受け入れられた第１の円筒状ウェイトと、前記第２の受け入れチューブ内に受け入れられた第２の円筒状ウェイトとをさらに備え、前記第１のウェイト及び前記第２のウェイトの各々は、重量部分と軽量部分とを有し、前記第１のウェイト及び前記第２のウェイトは、取り外し可能であるとともに、前記ヘッドの重量特性を調整するために、それぞれ前記第１の受け入れチューブ及び前記第２の受け入れチューブ内に複数の位置まで挿入可能である、請求項３２に記載のゴルフクラブヘッド。
【請求項３７】
前記第１のウェイトは、クラウン−ソール方向における前記クラブヘッドの前記重量特性を調整するように構成され、前記第２のウェイトは、前面−背面方向における前記クラブヘッドの前記重量特性を調整するように構成されている、請求項３６に記載のゴルフクラブヘッド。
【請求項３８】
前記第１の受け入れチューブは、前記第１の開口に近接するねじ部を含み、前記第２の受け入れチューブは、前記第２の開口に近接するねじ部を含み、前記ヘッドは、前記第１の受け入れチューブ内の前記ねじ部と取り外し可能に係合して前記第１の受け入れチューブ内に前記第１のウェイトを保持する第１のねじ付き締結具と、前記第２の受け入れチューブ内の前記ねじ部と取り外し可能に係合して前記第２の受け入れチューブ内に前記第２のウェイトを保持する第２のねじ付き締結具とをさらに備える、請求項３６に記載のゴルフクラブヘッド。
【請求項３９】
前記第１の受け入れチューブは第１の軸を有し、前記第２の受け入れチューブは第２の軸を有し、前記第１の軸と前記第２の軸とは垂直である、請求項３２に記載のゴルフクラブヘッド。
【請求項４０】
請求項３２に記載のゴルフクラブヘッドと、前記ゴルフクラブヘッドに接続されたシャフトとを備えるゴルフクラブ。
【発明の詳細な説明】
【技術分野】
【０００１】
関連出願の相互参照
本出願は、２０１４年１２月９日に出願された米国特許出願第１４／５６４，９８４号の利益を主張するものであり、本出願は、参照により本明細書に組み込まれ、本発明の一部をなす。
【０００２】
本発明の態様は、一般に、ゴルフクラブ及びゴルフクラブヘッドに関し、より詳細には、クラブヘッドに関連付けられた重量を減少又は再分散させて性能を高めるために、クラブヘッドの一部分を除去し、又はオープンにし、それによって、クラブヘッド内に空隙を作成したゴルフクラブ及びゴルフクラブヘッドに関する。
【背景技術】
【０００３】
ゴルフは、多種多様のプレイヤー、すなわち、性別の異なるプレイヤー、年齢及び／又は技術レベルが著しく異なるプレイヤーによって楽しまれている。ゴルフクラブ設計者は、性能改善を求めるゴルファーの絶えざる要求に応えて、ゴルフクラブに組み込まれる技術をうまく進歩させてきた。一態様では、ゴルファーは、ゴルフクラブの「感触」に敏感な傾向がある。ゴルフクラブの「感触」は、クラブのさまざまな構成要素部分と、ボールをスイングした及び／又は打ったときプレイヤーによって経験される感覚を生み出すクラブに関連するさまざまな特徴との組み合わせを含む。クラブ重量、重量分散、スイング・ウェイト、空気力学、スイング・スピードなどはすべて、クラブがスイングしてボールを打つときのクラブの「感触」に影響を与え得る。「感触」は、クラブヘッドがボールを打ってボールを動かすときに生じる音に関連することも見出されている。クラブヘッドが、インパクト時に不愉快な、望ましくない、又は驚かせるような音を発する場合、ユーザは、たじろぎ、スイングをやめ、スイングを減速させ、手を放し、及び／又はスイングを完全にフォロースルーせず、それによって、スイングの距離、方向、及び／又は他の性能面と、結果として生じるボールの動きに影響を与える。ボールを打つ前ですら、この不愉快な、望ましくない、又は驚かせるような音のユーザの予想が、スイングに影響を与えることができる。
【０００４】
また、ゴルフクラブの性能は、ゴルフクラブヘッドの重心の場所に影響を与えるクラブヘッドの周りでの重量分散を含むいくつかの要因に基づいて変化することができる。重心が接触面上のエンゲージメント点の後ろに位置決めされるとき、ゴルフ・ボールは、ほぼまっすぐなルートを取る。しかしながら、重心が、エンゲージメント点の側方へ離隔されているとき、ゴルフ・ボールは、意図しない方向に飛ぶことがあり、及び／又は、「プル」、「プッシュ」、「ドロー」、「フェード」、「フック」、もしくは「スライス」と呼ばれることが多いボール飛行を含む、左もしくは右に曲がるルートを取ることがある。同様に、重心が、エンゲージメント点の上又は下に離隔されているとき、ゴルフ・ボールの飛行はそれぞれ、よりうんざりする又は上昇軌跡を示すことがある。
【０００５】
クラブヘッドの周りでの重量分散は、クラブヘッドに関連付けられた慣性モーメントにも影響を与えることができる。したがって、慣性モーメントを変えると、ゴルフクラブヘッド設計がどのようにヒール及びトゥでの打ち損じに影響を及ぼすかを含む、ゴルフクラブがどのようにパフォーマンスするかに影響を与えることができる。同様に、インパクトの点及び打ち上げ角度などの他の要因も、ボールを打つとボールがどのように進むかに影響を与えることができる。
【発明の概要】
【発明が解決しようとする課題】
【０００６】
クラブ設計者は、ゴルフクラブ及び／又はゴルフクラブヘッドに関連付けられた重量を分散又は再分散させる新しい方策を探していることが多い。たとえば、クラブ設計者は、クラブヘッド内のより多くの許容度（ｆｏｒｇｉｖｅｎｅｓｓ）、精度の改善、所望のボール飛行などを提供するために、重量を分散させることに気を付けることが多い。そのような設計を求めて、クラブ設計者は、ほとんどのゴルファーによって望まれる従来の美しい外観を有するクラブヘッドを維持するという課題にも直面する。従来技術によるいくつかのゴルフクラブ及びゴルフクラブヘッド設計は、いくつかの有利な特徴を提供するが、それにもかかわらず、いくつかの制限を有する。したがって、クラブの性能を高めるためにクラブヘッド全体にわたって重量減少特性と重量分散の改善を有するゴルフクラブ及びゴルフクラブヘッドを提供することが有利であろう。本発明は、従来技術の制限及び欠点のうちのいくつかを克服し、これまで利用可能でない新しい特徴を提供するために提供される。
【課題を解決するための手段】
【０００７】
本開示の少なくともいくつかの態様は、クラブヘッドについての強化された重量分散を有するゴルフクラブ及びゴルフクラブヘッドに関する。一態様では、ゴルフクラブは、ゴルフクラブヘッド内に形成された空隙の形をとる幾何学的ウェイト特徴を利用する。ゴルフクラブヘッドは、空隙の上に延びるカバーを含んでよく、したがって、空隙は、アドレス位置においてゴルフクラブヘッドの上部から見えないことがある。ゴルフクラブヘッドは、一つ又は複数の調整可能なウェイト配置をさらに含んでよい。
【０００８】
本発明の態様は、打球フェースと、打球フェースの反対側の背面と、クラウンと、ソールと、ヒールと、トゥとを有するボディを含むゴルフクラブヘッドに関する。ボディは、ソール上の周縁によって画定された空隙を有し、ボディは、空隙上を延びてクラウンの少なくとも一部分を形成するカバーをさらに画定する。空隙の周縁の少なくとも一部分は、周縁から内側に空隙内へと延びるリップを含む。リップは、周縁全体の周りを延びてもよいし、周縁の一部分のみの周りを延びてもよい。
【０００９】
一態様によれば、ヘッドは、ウェイト受け入れ部が開口を通してのウェイトの挿入を受け入れるように構成されるように、ソールに接続されソール内の開口を有するウェイト受け入れ部を含む。ウェイト受け入れ部は、クラウンの下側及びソールの上側に接続されクラウンからソールに延びる受け入れチューブであり得る。ウェイトは、受け入れチューブ内に受け入れられてよく、ウェイトは、重量部分と軽量部分とを有してよい。この構成では、ウェイトは取り外し可能であり、ヘッドの重量特性を調整するために受け入れチューブに複数の位置まで挿入可能である。受け入れチューブは、開口に近接してねじ部を含んでよく、ねじ付き締結具が、受け入れチューブ内でウェイトを保持するために受け入れチューブ内でねじ部と解放可能に係合するように設けられてよい。ソールは、ソール内で隣接するエリアに対して内側に凹設された凹部エリアも有してよく、この凹部エリアは開口を取り囲むとよい。
【００１０】
別の態様によれば、ヘッドは、少なくとも一つの壁とフェースとの間に完全に囲まれた内側空洞を画定するように、上部からソールまで、及びボディのヒールからトゥまで延びる少なくとも一つの壁も含んでよく、したがって、壁は、空隙を内側空洞から分離する。ウェイト受け入れ部を有するヘッドでは、ヘッドは、上部からソールまで延びウェイト受け入れ部からボディのトゥまで延びる第１の壁と、上部からソールまで延びウェイト受け入れ部からボディのヒールまで延びる第２の壁とを含んでよい。第１の壁及び第２の壁は、第１の壁と第２の壁とフェースとの間に完全に囲まれた内側空洞を画定し、第１の壁及び第２の壁は、空隙を内側空洞から分離する。
【００１１】
さらなる一態様によれば、周縁は空隙をＵ字形状に画定し、それは、ボディの背面近傍からフェースに向かって延びるヒール部分とトゥ部分と、ボディの背面に近接してヒール部分とトゥ部分を接続する接続部分とを有する。空隙は、ソール上でフェースに近接する点から後方に延びる半島部を画定し、このとき、ヒール部分及びトゥ部分は半島部の両側に位置する。リップは、少なくとも半島部全体の周りを延び得る。
【００１２】
本発明の追加の態様は、打球フェースと、打球フェースの反対側の背面と、クラウンと、ソールと、ヒールと、トゥとを有するボディと、ソールに接続されるとともにソール内の開口を有するウェイト受け入れ部であって、開口を通してのウェイトの挿入を受け入れるように構成されたウェイト受け入れ部とを含むゴルフクラブヘッドに関する。ボディは、ソール上の周縁によって画定された空隙を有し、ボディは、空隙上を延びてクラウンの少なくとも一部分を形成するカバーをさらに画定する。ウェイト受け入れ部は、クラウンの下側及びソールの上側に接続されてクラウンからソールまで延びる受け入れチューブであり、受け入れチューブの外面の少なくとも一部分は、空隙に露出される。ヘッドは、空隙の少なくとも一部分の周りを延びるリップを含む、上記で説明された任意の態様及び特徴をさらに含んでよい。
【００１３】
一態様によれば、ウェイトは、受け入れチューブ内に受け入れられてよく、ウェイトは、重量部分と軽量部分とを有してよい。この構成では、ウェイトは取り外し可能であり、ヘッドの重量特性を調整するために、受け入れチューブに複数の位置まで挿入可能である。受け入れチューブは、開口に近接してねじ部を含んでよく、ねじ付き締結具が、受け入れチューブ内でウェイトを保持するために、受け入れチューブ内でねじ部と取り外し可能に係合するように設けられてよい。
【００１４】
別の態様によれば、第１の壁は、頂部からソールまで延びるとともに受け入れチューブからボディのトゥまで延びる。第２の壁は、頂部からソールまで延びるとともに受け入れチューブからボディのヒールまで延びる。第１の壁及び第２の壁は、第１の壁と第２の壁とフェースとの間に完全に囲まれた内側空洞を画定し、第１の壁及び第２の壁は空隙を内側空洞から分離する。
【００１５】
さらなる一態様によれば、受け入れチューブは、ゴルフクラブヘッドの垂直軸と位置合わせされてもよいし、他の形態として、ゴルフクラブヘッドの垂直軸に対して角度が付けられてもよい。
【００１６】
また別の態様によれば、ヘッドは、ソールに接続されるとともにソール内に第２の開口を有しする第２のウェイト受け入れ部を含み、第２のウェイト受け入れ部は、第２の開口を通じて第２のウェイトの挿入を受け入れるように構成される。第２のウェイト受け入れ部は、クラウンの下側及びソールの上側に接続されてクラウンからソールまで延びる第２の受け入れチューブである。第１のウェイト受け入れ部と第２のウェイト受け入れ部は、互いに対して斜角をなす向きで設けられる。ウェイトは、各受け入れチューブ内に受け入れられてよく、各ウェイトは、重量部分と軽量部分とを有してよい。ウェイトは、取り外し可能であるとともに、ヘッドの重量特性を調整するために、それぞれの受け入れチューブ内で複数の位置まで挿入可能である。
【００１７】
本発明のさらなる態様は、打球フェースと、打球フェースの反対側の背面と、クラウンと、ソールと、ヒールと、トゥと、ボディの中央領域に近接するインターフェースエリアとを有するボディと、ソールに接続されているともにインターフェースエリアに近接してソール内に第１の開口を有する第１のウェイト受け入れ部と、ソールに接続されているとともにインターフェースエリアに近接してソール内に第２の開口を有する第２のウェイト受け入れ部とを含むゴルフクラブヘッドに関する。ボディは、インターフェースエリアから離れるように背面及びヒールに向かって延びる第１のレッグと、インターフェースエリアから離れるように背面及びトゥに向かって延びる第２のレッグとをさらに有し、空隙が、第１のレッグと第２のレッグとの間に画定される。第１のウェイト受け入れ部は、第１の開口を通じて第１のウェイトの挿入を受け入れるように構成され、第１のウェイト受け入れ部は、第１のレッグに沿って第１の開口から背面及びヒールに向かって延びる。第２のウェイト受け入れ部は、第２の開口を通じて第２のウェイトの挿入を受け入れるように構成され、第２のウェイト受け入れ部は、第２のレッグに沿って第２の開口から背面及びヒールに向かって延びる。各ウェイト受け入れ部は、円筒状受け入れチューブであってよい。ヘッドは、上記で説明された任意の態様及び特徴をさらに含んでよい。
【００１８】
一態様によれば、円筒状ウェイトが各受け入れ部内に受け入れられる。各ウェイトは、重量部分と軽量部分とを有してよく、したがって、ウェイトは取り外し可能であり、ヘッドの重量特性を調整するために、それぞれの受け入れ部内で複数の位置まで挿入可能である。各受け入れ部は、開口に近接してねじ部を含んでよく、ねじ付き締結具が、受け入れ部内でウェイトを保持するためにねじ部と取り外し可能に係合してよい。
【００１９】
別の態様によれば、ボディは、ソール内で隣接するエリアに対して内側に凹設された、第１のレッグ上の第１の凹部エリアであって、第１の開口を取り囲む第１の凹部エリアと、ならびに、ソール内の隣接するエリアに対して内側に凹設された、第２のレッグ上の第２の凹部エリアであって、第２の開口を取り囲む第２の凹部エリアとをさらに含んでよい。ボディは、ソール上のインターフェースエリアに平坦化されたキールも有してよい。インターフェースエリアは、２つのレッグの間に配置され、ソールからクラウンの下側まで内側に延びる傾斜した平面状中央面と、この中央面の両側に配置され、中央面に対して鈍角をなして方向付けられた２つの傾斜した平面状側面とをさらに含んでよく、この側面は、キールから第１の凹部エリア及び第２の凹部エリアまで内側に延びる。
【００２０】
本発明のさらに別の態様は、打球フェースと、打球フェースの反対側の背面と、クラウンと、ソールと、ヒールと、トゥとを有するボディと、ソールに接続され、ボディの中央領域に近接してソール内の第１の開口を有する第１のウェイト受け入れ部と、ソールに接続され、ボディの背面に近接して第２の開口を有する第２のウェイト受け入れ部とを含むゴルフクラブヘッドに関する。第１のウェイト受け入れ部は、第１の開口を通しての第１のウェイトの挿入を受け入れるように構成され、第１のウェイト受け入れ部は、ソールに接続されソールからクラウンに向かって内側に延びる第１の受け入れチューブである。第２のウェイト受け入れ部は、第２の開口を通しての第２のウェイトの挿入を受け入れるように構成され、第２のウェイト受け入れ部は、ソールに接続されボディの背面からフェースに向かって前方に延びる第２の受け入れチューブである。ヘッドは、上記で説明された任意の態様及び特徴をさらに含んでよい。
【００２１】
一態様によれば、ボディは、ボディの中央領域に近接したインターフェースエリアも含み、第１の受け入れチューブは、インターフェースエリアに配置される。ボディは、インターフェースエリアから離れて背面及びヒールに向かって延びる第１のレッグと、インターフェースエリアから離れて背面及びトゥに向かって延びる第２のレッグとをさらに有してよく、空隙が、第１のレッグと第２のレッグとの間に画定される。この構成では、第２の受け入れチューブは、インターフェースエリアから第１のレッグと第２のレッグとの間に後方に延びてよい。さらに、ボディは、レッグの間でボディの背面の一部分の周りを延びる背面リムを含んでよく、したがって、この背面リムは、レッグ及びインターフェースエリアと結合して空隙を画定する。この構成では、第２の受け入れチューブが空隙内に懸架されるように、背面リムが第２の受け入れチューブの開放端を支持及び懸架し、インターフェースエリアが第２の受け入れチューブの閉塞端を支持及び懸架する。
【００２２】
一態様によれば、円筒状ウェイトが各受け入れ部内に受け入れられる。各ウェイトは、重量部分と軽量部分とを有してよく、したがって、ウェイトは、取り外し可能であるとともに、ヘッドの重量特性を調整するために、それぞれの受け入れ部内で複数の位置まで挿入可能である。各受け入れ部は、開口に近接してねじ部を有してよく、ねじ付き締結具が、受け入れ部内でウェイトを保持するためにねじ部と取り外し可能に係合してよい。第１の受け入れ部内のウェイトは、クラウン−ソール方向におけるクラブヘッドの重量特性を調整するように構成されてよく、第２の受け入れ部内のウェイトは、前面−背面方向におけるクラブヘッドの重量特性を調整するように構成されてよい。各チューブは、開口に近接してねじ部を有してよく、ねじ付き締結具が、受け入れ部内でウェイトを保持するために、ねじ部と取り外し可能に係合してよい。
【００２３】
別の態様によれば、第１の受け入れチューブは第１の軸を有し、第２の受け入れチューブは第２の軸を有し、第１の軸と第２の軸とは垂直である。
【００２４】
本発明の他の態様は、上記で説明されたゴルフクラブヘッドと、このゴルフクラブヘッドに接続されたシャフトとを含むゴルフクラブに関する。
【００２５】
本明細書で開示されるこれらの及び追加の特徴及び利点は、いくつかの実施形態の以下の詳細な開示からさらに理解されよう。
【００２６】
本発明のより十分な理解を可能にするために、次に、添付の図面を参照しながら、本発明を例として説明する。
【図面の簡単な説明】
【００２７】
【図１Ａ】本明細書で説明される一つ又は複数の態様による例示的なゴルフクラブ及びゴルフクラブヘッドの構造を示す図である。
【図１Ｂ】本明細書で説明される一つ又は複数の態様による例示的なゴルフクラブ及びゴルフクラブヘッドの構造を示す図である。
【００２８】
【図２】本明細書で説明される一つ又は複数の態様による、調整可能なウェイト配置を有するゴルフクラブヘッドの例示的な一実施形態の底面背面斜視図である。
【００２９】
【図３】図２のヘッドの背面図である。
【００３０】
【図４】本明細書で説明される一つ又は複数の態様による、調整可能なウェイト配置を有するゴルフクラブヘッドの別の例示的な実施形態の底面背面斜視図である。
【００３１】
【図５】図４のヘッドの背面図である。
【００３２】
【図６】ヘッド内のレシーバへのウェイトの挿入を示す、図５の線６−６に沿った、図４〜図５のヘッドの断面図である。
【００３３】
【図７】図５の線７−７に沿った、図４〜図５のヘッドの断面図である。
【００３４】
【図８】ヘッド内のレシーバへのウェイトの挿入を示す、本明細書で説明される一つ又は複数の態様による調整可能なウェイト配置を有するゴルフクラブヘッドの別の例示的な一実施形態の断面図である。
【００３５】
【図９】ヘッド内のレシーバへのウェイトの挿入を示す、本明細書で説明される一つ又は複数の態様による調整可能なウェイト配置を有するゴルフクラブヘッドの別の例示的な一実施形態の断面図である。
【００３６】
【図９Ａ】ヘッド内のレシーバへのウェイトの挿入を示す、本明細書で説明される一つ又は複数の態様による調整可能なウェイト配置を有するゴルフクラブヘッドの別の例示的な一実施形態の断面図である。
【００３７】
【図１０】ヘッド内の２つのレシーバへの２つのウェイトの挿入を示す、本明細書で説明される一つ又は複数の態様による調整可能なウェイト配置を有するゴルフクラブヘッドの別の例示的な一実施形態の断面図である。
【００３８】
【図１１】本明細書で説明される一つ又は複数の態様による、調整可能なウェイト配置を有するゴルフクラブヘッドの別の例示的な実施形態の背面図である。
【００３９】
【図１２】本明細書で説明される一つ又は複数の態様による、調整可能なウェイト配置を有するゴルフクラブヘッドの別の例示的な実施形態の底面背面斜視図である。
【００４０】
【図１３】本明細書で説明される一つ又は複数の態様による調整可能なウェイト配置を有するゴルフクラブヘッドの別の例示的な一実施形態の底面背面斜視図であり、ヘッド内の２つのレシーバへの２つのウェイトの挿入を示す。
【図１４】本明細書で説明される一つ又は複数の態様による、調整可能なウェイト配置を有するゴルフクラブヘッドの別の例示的な実施形態の底面背面斜視図である。
【発明を実施するための形態】
【００４１】
上記で参照された図は、必ずしも原寸に比例して描かれておらず、本発明の特定の実施形態の説明を提供することを理解されるべきであり、本質的に概念的であり、関与する原理を示すに過ぎない。説明及び理解を容易にするために、図面に示されるゴルフクラブ及びゴルフクラブヘッドの構造のいくつかの特徴は、他の特徴に対して拡大又は歪まされている。いくつかの例では、図面において、同じ参照番号が、さまざまな代替実施形態に示される類似又は同一の構成要素及び特徴に使用されている。本明細書で説明されるゴルフクラブ及びゴルフクラブヘッドの構造は、意図された適用例及び使用される環境によって部分的に決定された構成及び構成要素を有し得る。
【００４２】
本発明によるさまざまな例示的な構造の以下の説明では、添付の図面を参照する。添付の図面は本発明の一部を形成し、図面には、一つ又は複数のゴルフクラブ又はゴルフクラブヘッドの構造を含むさまざまな例示的な物品が例として示される。さらに、パーツ及び構造の他の特定の配置が利用されてよく、本発明の範囲から逸脱することなく、構造的修正及び機能的修正が加えられてよいことを理解されたい。また、「上部」、「底面」、「前面」、「後面」、「背面」、「側面」、「下側」、「頭上」などの用語が、本明細書において、本発明のさまざまな例示的な特徴及び要素について説明するために使用されることがあるが、これらの用語は、本明細書では、便宜上、たとえば、図に示される例示的な向き及び／又は一般的な使用における向きに基づいて、使用される。本明細書において、本発明の範囲に含まれるために特定の３次元構造又は構造の空間的配向を必要とすると解釈されるべきものは、何もない。さらに、本発明は一般に、ウッドタイプのゴルフクラブに関すると説明される。より詳細には、本明細書で開示されるクラブヘッドは、例示的な実施形態では、ドライバー及びフェアウェイウッドである。しかしながら、本発明の態様は、ハイブリッドタイプのゴルフクラブ、ユーティリティクラブ、パターなどを含むいくつかのタイプのゴルフクラブのいずれかとともに使用されてよく、本明細書又は図におけるいずれのものも、説明するウッドタイプのゴルフクラブとともに使用するように本発明を制限すると解釈されるべきではない。
【００４３】
図１は、本発明による例示的なゴルフクラブ１００及び／又はゴルフクラブヘッド１０２を全体的に示す。ゴルフクラブヘッド１０２に加えて、この例のゴルフクラブ構造１００全体は、ホーゼル１０４と、ホーゼル１０４内に受け入れられるならびに／又はこれに及び／もしくはこれを通して挿入されるシャフト１０６と、シャフト１０６に取り付けられたグリップすなわちハンドル１０８とを含む。任意選択で、必要に応じて、外部ホーゼル１０４が排除されてよく、シャフト１０６がヘッド１０２に直接挿入される及び／又はそうでなければこれに取り付けられてよい（たとえば、クラブヘッド１０２の上部に設けられた開口を通って、内部ホーゼルを通って（たとえば、クラブヘッド１０２によって画定された内側チャンバ内に設けられた）など）。ホーゼル１０４は、ゴルフクラブヘッド１０２の一体化した部分であると考えられることもあり、又は、ゴルフクラブヘッド１０２に取り付けられた別個の構造であってもよい。
【００４４】
シャフト１０６は、本発明から逸脱することなく、当技術分野で知られており使用される従来の様式を含む任意の適切な又は望ましい様式で、クラブヘッド１０２の中に受け入れられ得る、これに係合され得る、及び／又はこれに取り付けられ得る。より具体的な例として、シャフト１０６は、ホーゼル１０４を介して、及び／又はたとえば、接着剤、セメント、溶接、はんだ付け、機械的コネクタ（ねじ、保持要素など）を介して、取り外し可能な調整可能部材又はコネクタなどをさらに含み、クラブヘッド構造１０２に直接、クラブヘッド１０２のボディへと延びるシャフトを受け入れるスリーブ又は要素を介して、など、クラブヘッド１０２に係合され得る。シャフト１０６はまた、グラファイト系材料、複合材料又は他の非金属材料、鋼材料（ステンレス鋼を含む）、アルミニウム材料、他の金属合金材料、ポリマー材料、さまざまな材料の組み合わせなどの、当技術分野で知られており使用されている従来の材料を含む、任意の適切な又は望ましい材料から作製されてよい。また、グリップすなわちハンドル１０８は、たとえば、接着剤又はセメントを使用する、溶接、はんだ付け、接着剤などを介して、機械的コネクタ（ねじ、保持要素など）を介してなどの、当技術分野で知られており使用されている従来の様式を含む、任意の適切な又は望ましい様式で、シャフト１０６に取り付けられてよい、これに係合されてよい、及び／又はこれから延びてよい。別の例として、必要に応じて、グリップすなわちハンドル１０８は、シャフト１０６を有する一体的な１ピース構造として一体的に形成されてよい。さらに、たとえば、ゴム材料、皮革材料、その中に埋め込まれたコード又は他のファブリック材料を含むゴム又は他の材料、ポリマー材料などを含む、任意の望ましいグリップすなわちハンドル１０８の材料は、本発明から逸脱することなく使用され得る。
【００４５】
クラブヘッド１０２自体も、本発明から逸脱することなく、当技術分野で知られており使用されている従来の材料から、及び／又は従来の様式で、を含む、任意の適切なもしくは望ましい様式で、及び／又は任意の適切なもしくは望ましい材料から、構築されてよい。たとえば、図１に示される例示的なクラブヘッド１０２では、クラブヘッド１０２は、一般に打球面１０２ｂを含む前面１０２ａを含む（任意選択で、打球面１０２ａと一体的に形成された又はクラブヘッドに取り付けられた打球フェースプレートを含み、それによりフェースプレートとフレームが一緒に打球面１０２ａ全体を構成する）。前面１０２ａは、打球フェース１０２ａと考えられてもよい。クラブヘッド１０２は、上部１０２ｃすなわちクラウンと、ソール１０２ｄと、トゥ１０７と、ヒール１０９とをさらに含み得る。クラブヘッド１０２は、背面１１１（図１Ｂ）も含み得る。
【００４６】
本発明から逸脱することなく、多種多様の全体的クラブヘッド構造が可能である。たとえば、必要に応じて、上記で説明されたクラブヘッド１０２のさまざまな個々のパーツのうちのいくつか又はすべては、互いに接続された（たとえば、溶接、接着剤、又は他の融合技法によって、機械的コネクタによって、など）複数のピースから作製されてよい。さまざまなパーツ（たとえば、クラウン、ソール、前面、背面など）は、軽量金属材料を含む金属材料などの、当技術分野で従来知られており使用されている材料を含む、任意の望ましい材料及び異なる材料の組み合わせから作製されてよい。適切な軽量金属材料のより具体的な例としては、鋼、チタン及びチタン合金、アルミニウム及びアルミニウム合金、マグネシウム及びマグネシウム合金などがある。追加又は代替として、クラブヘッドのさまざまなパーツは、一つ又は複数の複合材料から形成されてよい。射出成形されたパーツも可能である。クラブヘッド１０２はまた、当技術分野で従来知られており使用されているクラブヘッド形成プロセスを含む、鍛造、鋳造、又は他の望ましいプロセスによって作製されてもよい。ゴルフクラブヘッド１０２はさらに、単一の一体的ピースで形成されてもよい。
【００４７】
クラブヘッド構造１０２を構成するさまざまな個々のパーツは、複数のピースから作製される場合、技術分野で知られており使用されている従来の様式を含む任意の適切な又は望ましい様式で、互いと係合及び／又は結び付けられてよい。たとえば、前面１０２ａ、打球面１０２ｂ、上部１０２ｃ、ソール１０２ｄなどのクラブヘッド構造１０２のさまざまなパーツは、接着剤、セメント、溶接、はんだ付け、又は他の結合もしくは仕上げ技法によって、機械的コネクタ（ねじ、ビス、ナット、ボルト、又は他のコネクタなど）などによって、互いに（直接的に、又は中間部材によって間接的に）接合及び／又は固定されてよい。必要に応じて、クラブヘッド構造１０２のさまざまなパーツの嵌合エッジとしては、対応する溝、スロット、面、出っ張り、開口、又は接合される対向する側方縁内もしくはその上に設けられた他の構造の中又はその上に嵌合する、一つ又は複数の隆起したリブ、タブ、出っ張り、又は他の係合要素があり得る。セメント、接着剤、機械的コネクタ、仕上げ材料などは、クラブヘッド構造１０２のさまざまなパーツを互いに固着するのをさらに助ける、上記で説明された隆起したリブ／溝／出っ張り／縁又は他の接続構造と組み合わせて使用されてよい。
【００４８】
本発明の例によるゴルフクラブヘッド構造の寸法及び／又は他の特性は、本発明から逸脱することなく著しく変化してよく、寸法は、類似のクラブヘッド及びクラブのために当技術分野で一般に使用される寸法と一致してよい。
【００４９】
ゴルフクラブヘッドのいくつかの実施形態が、本明細書で開示される。図１Ａ及び図１Ｂに関して上記で説明されたクラブヘッド及びさまざまな構成要素の説明が、本明細書で説明される他の実施形態に適用されることが理解される。いくつかの異なる実施形態は幾何学的重量特性を利用し得ることが理解されるであろう。幾何学的重量特性は、所望の性能を達成するためにヘッド・ウェイトの減少及び／又は重量の再分散を提供し得る。たとえば、より多くのウェイトが、クラブヘッドのヒール及びトゥの背端の方へ位置決めされ得る。本明細書で開示されるさまざまな実施形態では、ゴルフクラブヘッドは、レッグの間に空隙、空間、又はギャップを画定する、離隔されたレッグを有するボディを有してよい。本明細書のクラブヘッドは、空隙、空間、又はギャップを画定するために除去された部分を有すると考えられ得る。ボディは、空隙及び／又はレッグの上に位置決めされたカバーを含んでよく、ボディの一体化した構成要素であってもよいし、別個に取り付けられてもよい。追加の支持部材及び／又はウェイト・アセンブリも、いくつかの実施形態とともに利用されてよい。
【００５０】
図２〜図６にさらに示されるように、ゴルフクラブヘッド２００は、前面２１０と、背面２１２と、上部すなわちクラウン２１４（図６）と、トゥ２１６と、ヒール２１８と、ソール２１５とを含み、画定する、ボディ２０２を有する。前面２１０は一般に、打球フェース２１１を画定する。打球フェース２１１は、さまざまな形をとってよく、例示的な一実施形態では、参照により本明細書に組み込まれ、本発明の一部をなす米国特許出願第１３／２１１，９６１号に開示されているような、可変フェース厚さ設計を利用し得る。打球フェース２１１は、代替として、一定の厚さを有してもよい。打球フェース２１１は、溶接プロセスなどにおいてゴルフクラブヘッド・ボディ２０２に別個に接続され得ることがさらに理解される。クラブヘッド２００は、打球フェース２１１に近接したボディ２０２の基部からクラブヘッド・ボディ２０２の背面２１２の方へ延びるソール２１５を有する。ゴルフクラブヘッド２００は、いくつかの形態では、幾何学的重量特性を含む。例示的な一実施形態では、クラブヘッド２００は、ゴルフクラブヘッド・ボディ２０２の背面２１２の中に全体的に形成された、空隙２３０、ギャップ、又は空間を有する。空隙２３０は、いくつかの例では、略Ｖ字形であってよく、及び／又はゴルフクラブヘッド２００を完全に通って延びてよい（たとえば、クラウンからソールまで）。空隙２３０は、ゴルフクラブヘッドの背面に通じている。ボディ２０２は、ボディ２０２のヒール２１８においてホーゼルを形成し得る。ボディ２０２のさまざまな構造が、内部体積を有する内部空洞を画定し得ることが理解される。
【００５１】
空隙２３０は、ボディ２０２内の開口２３６から内側に延び、開口２３６は、周縁２３８によって画定される。図２〜図６に示される実施形態では、空隙２３０は、トゥ２１６及びヒール２１８から、ヘッド２００の背面２１２の周りで内側に延びてよく、ヒール２１８又はトゥ２１６に近接するよりも背面２１２に近接する方が幅広くあってよい。空隙２３０はまた、同じく図２〜図６に示されるように、ソール２１５から上部すなわちクラウン２１４に延びてもよい。空隙２３０は、図２〜図６に示されるように、ソール２１５の上部側方２１５ａの少なくとも一部分及びクラウン２１４の下側２１４ａの少なくとも一部分に接してよい。一実施形態では、図２〜図３に示されるように、空隙２３０は、打球フェース２１１の内部面までずっと内側に延びてよい。別の実施形態では、図４〜図５に示されるように、ヘッド２００は、ソール２１５からクラウン２１４に延び、ボディ２０２の面と結合して打球フェース２１１の後ろの囲まれた内側空洞２３４を画定する、一つ又は複数の壁２３２を有してよい。この実施形態では、空隙２３０は、壁２３２と境界を接し、これによって画定されてよく、フェース２１１まで延びない。この実施形態における空隙２３０は、囲まれた内側空洞２３４の後ろの開いたセクションを表す。さらに、一実施形態では、囲まれた内側空洞２３４は、ＵＳＧＡ公定法を使用して決定されるように、ヘッド２００の全変位（ｄｉｓｐｌａｃｅｍｅｎｔ）の３０〜７０％を占める。クラブヘッドのさらなる実施形態は、以下で説明されるように、図１２〜図１４の実施形態などの、異なるように構成された空隙を有してよい。ゴルフクラブヘッド２００の中に形成された空隙２３０は、ゴルフクラブヘッドに関連付けられた全重量の減少、クラブの重量の再分散をさせ得、ゴルフクラブヘッド２００の性能特性を調整する助けとなり得る。
【００５２】
空隙２３０に対する開口２３６（及び開口２３６を画定する縁２３８）は、図２〜図７の実施形態では、略Ｕ字形構成を有する。図２でわかるように、開口２３８は、ボディ２０２のヒール２１８上の第１の部分すなわちヒール部分２３９Ａと、ボディ２０２のトゥ２１６上の第２の部分すなわちトゥ部分２３９Ｂと、ボディ２０２の背面２１２を横切って延び、ヒール部分２３９Ａとトゥ部分２３９Ｂを接続する接続部分２３９Ｃとを有する。ヒール部分２３９Ａ及びトゥ部分２３９Ｂは、背面２１２からフェース２１１の方へ全体的に延び、ヒール部分２３９Ａは、ヒール部分２３９Ａの残りに対してヒール２１８の方へ角度が付けられた、フェース２１１に近接する、角度付き部分２３９Ｄも含む。この構成では、Ｕ字形空隙２３０は、フェース２１１に近接する点から後方に延びるソール２１５上の半島部２６５を画定し、ヒール部分２３９Ａ及びトゥ部分２３９Ｂは、半島部２６５の両側に位置決めされる。さらに、この実施形態では、開口２３６は、ソール２１５上に画定され、クラブヘッド２００がアドレス位置にあるとき、上方から見えない。しかしながら、他の実施形態では、開口２３６の少なくとも一部分は、ボディ２０２のクラウン２１４を通って延びる。
【００５３】
いくつかの例示的な実施形態では、ゴルフクラブヘッド２００は、ヘッド２００のクラウン２１４の少なくとも一部を形成するカバー２５０を有するボディ２０２を含む単一ピースとして形成され得る。たとえば、前面２１０（フェース２１１を含む）、背面２１２、クラウン２１４、トゥ２１６、ヒール２１８、及びソール２１５は、単一ピース・ユニットであってよい。別の実施形態では、フェース２１１は、たとえば、フェースプレート又はカップ・フェース構造などの、ボディ２０２とは別個の構造から形成され得る。ボディ２０２は、この実施形態では、単一ピースから形成されてもよいし、複数のピースから形成されてもよい。ゴルフクラブヘッド２００及び／又はその金属構成要素は、鋳造、成形、鍛造、など、及びそれらのさまざまな組み合わせなどの知られている製造方法を使用して形成されてよい。したがって、一例では、ゴルフクラブヘッド・ボディ２０２は、チタンなどの金属材料が鋳造されてよい。ウェイト・レシーバ２４２は、以下で説明されるように、さまざまな実施形態において、ボディ２０２の一つ又は複数の他の構成要素とともに形成されてもよいし、別個に形成され、ボディ２０２に取り付けられてもよい。空隙２３０は、ゴルフクラブヘッドの初期製造プロセス中に（たとえば、鋳造中に）ゴルフクラブヘッドの中に形成されてもよいし、追加プロセスを使用して（たとえば、切断によって）ゴルフクラブヘッド２００へと形成されてもよい。
【００５４】
上述のように、及び図２〜図６に示されるように、ゴルフクラブヘッド２００は、カバー２５０をさらに含む。カバー２５０は、いくつかの例では、ゴルフクラブヘッド・ボディ２０２の背面２１２、又は背面２１２の一部分を覆ってもよいし、ソール２１５を越えて延びてもよく、したがって、空隙２３０及びソール２１５は、ゴルフクラブヘッド２００が使用中のとき、特にゴルフクラブヘッド２００がアドレス位置にあり、ゴルファーがゴルフクラブヘッド２００上方に立っているとき、見えない。すなわち、カバー２５０が適切な位置にあれば、ゴルフクラブヘッド２００は、ゴルフクラブヘッド２００の背面２１２に空隙２３０を含まない従来のゴルフクラブヘッドに類似して見えることがある。しかしながら、性能の利点（たとえば、重量の減少、重量の再分散など）が提供されるであろう。カバー２５０は、いくつかの例では、ゴルフクラブヘッド２００がソール２１５から見られるとき空隙２３０が見え得るように、ゴルフクラブヘッド・ボディ２０２のクラウン２１４の上に延びてよいが、空隙２３０は、クラブ２００の上部から見られるとき、見えることが妨げられ得る。追加又は代替として、カバー２５０は、ゴルフクラブヘッド２００の背面２１２全体の上に延びてよく、ゴルフクラブヘッドが任意の角度から見られても空隙が見えないように、ゴルフクラブヘッドのクラウン２１４及びソール２１５を覆ってよい。
【００５５】
図２〜図７の実施形態では、カバー２５０は、ボディ２０２の残りと同じ材料から形成され、ボディ２０２とともに単一ピースから形成され得る。別の実施形態では、カバー２５０は、別個に形成されてよく、ボディ２０２とは異なる材料から形成されてよい。そのような一実施形態では、カバー２５０は、軽量金属、合金、複合物、プラスチックなどの任意の適切な材料から形成されてよい。ポリマー系カバー２５０は、金属タイプの仕上げ又は何らかの他の処理を提供してそのような外観をもたらすために、ナノコーティングをさらに有してよい。別個のカバー２５０は、機械的締結具、スナップ嵌め、ビス、接着剤、摩擦嵌めなどを含む既知の接続方法を使用して、ゴルフクラブヘッドに接続され得る。さらに、図２〜図６に示されるカバー２５０はボディ２０２のクラウン２１４を形成するが、別の実施形態では、カバー２５０は、ボディ２０２のクラウン２１４の少なくとも一部分を覆うことがある。さらに、いくつかの形態では、カバー２５０は、取り外し可能であってよく、及び／又は他のカバーと交換可能であってよく、そのような他のカバーは、異なる性能特性を持ち得る。たとえば、カバーは、異なる重量特性を有する他のカバーと交換されてよい。代替カバーは、異なる美的特性をさらに有してもよいし、又は異なるトレーニング・ガイドを組み込んでもよい。
【００５６】
ヘッド２００は、振動性、音響性、インパクト反応性などのヘッド２０２の一つ又は複数の性質に影響を与えるために、ならびに／又はヘッド２００の耐久性及び構造安定性を増加させるために、硬化構造又は強化構造をさらに含み得る。図２〜６の実施形態では、ヘッド２００は、空隙２３０の開口２３６を画定する縁２３８の周りに延びるリップ２４７を含む。リップ２４７は、空隙２３０へと内側に延び、ボディ２０２の隣接面の一部又はすべてに対して角度を付けられ得る。一実施形態では、図２〜図６に示されるように、リップ２４７は、開口２３６を画定する縁２３８全体から内側に延びる。別の実施形態では、リップ２４７は、縁２３８の少なくとも一部分から延び、応力がより集中されるエリアのところなど、縁２３８の周りに間欠的に配置され得る。リップ２４７は、すべての場所で一定であってもよいし異なる場所で変化してもよい幅を持ち得る。リップ２４７の厚さも、さまざまな実施形態において、一定であってもよいし、変化してもよい。図１１は、リップ２４７が、受け入れチューブ２４２の周りの領域内で図２〜図６のリップ２４７よりも大きな幅を有し、このことが、増加された強度をその領域に加える別の実施形態を示す。図２〜図６及び図１１の実施形態では、ソール２１５上の半島部２６５は、ウェイト２４０のための受け入れ部すなわちレシーバ２４２を少なくとも部分的に支持し、半島部２６５の周りのリップ２４７は、構造安定性を半島部２６５に加える。一実施形態では、リップ２４７は、少なくとも半島部２６５全体の周りに延び得る。
【００５７】
一実施形態では、ヘッド２００は、クラウン２１４及び／又はソール２１５から内側に延びる一つ又は複数の壁２３２の形をとる追加の硬化又は強化構造を有する。図４〜図７の実施形態では、２つの壁２３２が、打球フェース２１１を空隙２３０から完全に分離し、クラウン２１４の下側２１４ａからソール２１５の上部側方２１５ａに、及びトゥ２１６及びヒール２１８からウェイト・レシーバ２４２に延びる。この構成では、壁２３２は、上記で説明されたように、ボディ２０２の面と結合して、打球フェース２１１の後ろに囲まれた内側空洞２３４を画定する。空隙２３０は、この実施形態では、壁２３２と境界を接し、これによって画定されてよく、フェース２１１まで延びず、壁２３２は、空隙２３０を内側空洞２３４から分離する。別の実施形態では、壁２３２は、受け入れチューブ２４２の前方又は後方へ延びてよく、受け入れチューブ２４２に接続されないことがある。さらなる実施形態では、ヘッド２００は、クラウン２１４からソール２１５までずっと延びない、ボディ２０２を横切って側方に（たとえば、ヒール２１８からトゥ２１６に）ずっと延びない、及び／又はその中に開口又は通路を有することなどによって、フェース２１１を空隙２３０から完全には分離しない壁２３２を含み得る。
【００５８】
ゴルフクラブヘッド２００は、ウェイト・アセンブリを利用して、クラブヘッド２００の性能をさらに高め得る。例示的な一実施形態では、ヘッド２００は、受け入れ部すなわちレシーバ２４２を含み、受け入れ部は、図２〜図７の実施形態と同様に受け入れチューブ２４２の形であってよい。受け入れチューブ２４２は、ゴルフクラブヘッド２００の一つ又は複数の部分と一体的に形成されてもよいし、別個の部分として形成され、接着剤、機械的締結具、スナップ嵌め、溶接などの既知の接続方法を使用してゴルフクラブヘッド２００に接続されてもよい。さらに、一実施形態では、受け入れ部（受け入れチューブ２４２）の外面の少なくとも一部分は、空隙２３０に露出される。図２〜図３の実施形態では、受け入れチューブ２４２の外面全体が空隙２３０に露出され、図４〜図５の実施形態では、受け入れチューブ２４２の外面の一部分が空隙２３０に露出され、別の部分が内側空洞２３４に露出される。ウェイト・アセンブリのウェイト２４０が、受け入れチューブ２４２によって受け入れられるように構成され、受け入れチューブ２４２は、ウェイト２４０の挿入のためにソール２１５内に開口２４３を有する。別の実施形態では、開口２４３は、追加又は代替として、ヘッド２００のクラウン２１４内に配置されてよい。図２〜図５はチューブ２４２内のウェイト２４０を示し、図６は、チューブ２４２に挿入されるための適切な位置にある、分解構成におけるウェイト２４０を示す。
【００５９】
図２〜図７に示される実施形態では、受け入れチューブ２４２は一般に、クラウン２１４の下側２１４ａ及び／又はカバー２５０から底面又はクラブヘッド・ボディ２０２のソール２１５のソール面２１５ｂまで延びる高さを有する。この構成では、クラウン２１４及び／又はカバー２５０は、ソール２１５と結合して、受け入れチューブ２４２を支持する。図２、図４、及び図６に示されるように、クラウン２１４の下側２１４ａ／カバー２５０は、一実施形態では、より強固でより安定した装着面を提供するために、受け入れチューブ２４２の上端に接続されたプラットフォーム２４６を有する。図２〜図７に示されるプラットフォーム２４６は、カバー２５０の厚い部分によって形成され、カバー２５０と一体化される。別の実施形態では、プラットフォーム２４６は、異なる構造を有してよく、及び／又は別個に形成され、ボディ２０２のクラウン２１４の下側２１４ａに接続されてよい。さらに、図２〜図６に示されるように、ソール２１５は、チューブ開口２４３の周りに配置された傾斜した壁２４９によって画定された凹部エリア２４８を有する。図２〜図６に示される実施形態では、凹部エリア２４８は、ソール２１５上の半島部２６５内に形成される。受け入れチューブ２４２は、凹部エリア２４８においてソール２１５の上部側方２１５ａに装着され、傾斜した壁２４９は、装着部を取り囲むエリアに剛性及び強度の増加を提供する。凹部エリア２４８はまた、使用中にチューブ開口２４３をプレー面から離隔する。受け入れチューブ２４２は、他の構成では、必要に応じて変化する高さを備えてよく、代替として、クラウン２１４又はソール２１５の内面から離隔された一端又は両端を有するように装着されてよい。クロージャ２４４も、受け入れチューブ２４２内でウェイト２４０を固着するために設けられ得る。図２〜図６の実施形態では、クロージャ２４４は、受け入れチューブ２４２内でめねじと嵌合し受け入れチューブ２４２内でウェイト２４０を固着するねじ付き締結具２４４の形をとる。
【００６０】
受け入れチューブ２４２及びウェイト２４０は、ウェイト２４０が受け入れチューブ２４２へと摺動し得るように、対応する形状を持ち得る。いくつかの例では、ウェイト２４０及び受け入れチューブ２４２は、円筒状、正方形、方形などであってよい。受け入れチューブ２４２は長手方向軸を有してよく、ウェイトも長手方向軸を有してよく、長手方向軸は一般に、チューブ２４２内にウェイト２４０が受け入れられるとき、対応する。図６に示される実施形態では、打球フェース２１１がある量のロフトを有することがあるという理解の下で、チューブ２４２の長手方向軸は略垂直であり、打球フェース２１１と略平行である。図２〜図６に示される例では、受け入れチューブ２４２は、配置が略垂直である（たとえば、ゴルフクラブヘッドがアドレス位置にあるとき、垂直位置にある）。しかしながら、さまざまな他のチューブ配置、位置などが、本発明から逸脱することなく使用され得る。いくつかの他の配置、位置などは、以下でより十分に説明される。
【００６１】
受け入れチューブ２４２は、ウェイト２４０を受け入れてよく、ウェイト２４０は、単一の加重部材であってもよいし、異なる重量特性又はウェイト値を有する部分を有してもよく、これは、異なる重量特性及び配置がクラブヘッド２００の性能特性を変えることを可能にすることができる。たとえば、ウェイト２４０は、反対側の端２４０ｂよりも重い一端２４０ａを有してよく、ウェイト２４０は、必要に応じて反転可能である。そのような異なるウェイトは、異なる材料の使用によって、及び／又はウェイト添加材料（たとえばタングステン）を異なる濃度で使用することによって、達成され得る。さらに、異なるように加重されたウェイト２４０は、永久的又は解放可能に互いに接続されたより小さいウェイトの組み合わせであってよい。いくつかの形態では、より重い端２４０ａが、比較的高い重心（ＣＧ）を有する第１のウェイト配置を提供するようにゴルフクラブヘッド２００のクラウン２１４の方へ位置決めされてもよいし、代替として、比較的低いＣＧを有する第２のウェイト配置を提供するようにゴルフクラブヘッド２００のソール２１５の方へ位置決めされてもよい。異なるウェイト配置は、クラブヘッド２００の性能に影響を与えることができる。別の実施形態では、ウェイト２４０は、３つ以上の異なるように加重された部分を有してよい。さらなる実施形態では、異なる及び／又は追加の構造は、その上のウェイト部材を取り外し可能に支持するヘッド２００と動作可能に関連付け可能である。本明細書で説明されるさまざまな実施形態では、ウェイト部材２４０は、ゴルフクラブヘッド２００又はヘッドの一部分の残りよりも重い材料から作製されてよい。他の例示的な実施形態では、ウェイト部材２４０は、ゴルフクラブヘッド２００又はその部分の残りと同じ材料から作製され得る。いくつかの例示的な実施形態では、ウェイト部材は、鋼、アルミニウム、チタン、マグネシウム、タングステン、グラファイト、ポリマー、又は複合材料、ならびに合金及び／又はそれらの組み合わせから形成されてよい。
【００６２】
追加又は代替として、ウェイト部材２４０は、異なる重量特性を達成するために異なる配置でウェイト受け入れ部２４２の中に受け入れ可能な複数のウェイト又はウェイト２４０の部分、たとえば、一つのピースが最も重い３つのピースを含み得る。そのような複数のウェイトは、一実施形態では、解放可能に互いに留め得る。異なるウェイトはまた、異なるウェイト値を有してよい。いくつかの例では、最も重い部材は、部材の端にあってもよいし、中央にあってもよい。ウェイト部材のさまざまな他の組み合わせが、本発明から逸脱することなく使用されてよい。ウェイト部材２４０の全体的な高さは、ねじ付き締結具２４４の長さとともに、受け入れチューブ２４２の高さに全体的に対応し得、したがって、ウェイト２４０がチューブ２４２内にぴったりと嵌合し、使用中にチューブ内で摺動しない。受け入れチューブ２４２内のねじ部は、締結具２４４が、受け入れチューブ２４２の中で異なる長さを有するウェイト２４０と係合して固着するように受け入れチューブ２４２に異なる距離でねじ切りされ得るように構成され得ることが理解される。さらに、チューブ２４２及び／又はウェイト２４０は、必要に応じて衝撃吸収特徴を有してよく、そのプラグ又はフィルタは、受け入れチューブよりも短い長さを有するウェイト２４０のためのすべり嵌めを保証するように受け入れチューブ２４２に挿入され得る。
【００６３】
クラブヘッド２００の幾何学的中心に近接するウェイト２４０及び受け入れチューブ２４２の位置は、重心をゴルフクラブヘッド２００の中央領域の近くに調整する助けとなり得る。チューブ２４２内のウェイトは、低い重心又は高い重心を提供するためにチューブ２４２内で集中させることが可能である。ウェイト２４０はまた、より中立的な重心を提供するように構成可能である。ウェイト２４０の挿入又は除去は、追加ウェイトを追加又はゴルフクラブヘッド２００の全重量から除去し得、ウェイトを追加し、又は中央領域から除去し、それによって、ゴルフクラブヘッド２００の性能特性を調整し得る。したがって、異なる交換可能なウェイト２４０は、クラブヘッド２００の全重量を増加又は減少させるために選択可能である。チューブ２４２内のウェイト２４０によって提供されるそのような重量特性は、ボール・スピンの変化をもたらすことによってゴルフ・ボール軌道にさらに影響を及ぼすことができる。この重量特性は、ボール・スピンにおいて約５００〜６００ｒｐｍの変化をもたらすことができることが決定されている。チューブ２４２内で調整可能なウェイト２４０を利用してボール・スピンに影響を与えて、ならびに打ち上げ角度及びボール速度を考慮して、ゴルファーは、所望のボール軌道、距離、及び他の特性を達成するように、ゴルフクラブをカスタマイズすることができる。調整可能な重量特性は、使用される特定のゴルフ・ボールのために所望のボール・スピンを生み出すようにクラブヘッド２００をカスタマイズするためにさらに使用可能である。
【００６４】
図２〜図５にさらに示されるように、受け入れチューブ２４２は、人がチューブ２４２内のウェイト２４０を見ることを可能にするために、窓２４５を有し得る。ウェイト２４０は、窓２４５を通して見ることによって提供される特定の重量配置の容易な決定を可能にするための目印を備え得る。
【００６５】
図２〜図３に示されるように、受け入れチューブ２４２の外側全体は、一実施形態では、空隙２３０が受け入れチューブ２４２を完全に取り囲むように露出され得る。別の実施形態では、図４〜図５に示されるように、受け入れチューブ２４２は、受け入れチューブ２４２の一部分が空隙２３０に露出され得るように、ゴルフクラブヘッド２００の背面部分内に部分的に囲まれてよい。空隙２３０は、これらの実施形態では、調整のためにウェイト２４０及び／又は締結具２４４へのアクセスの容易さを提供し得る。さらなる一実施形態では、受け入れチューブ２４２は、本発明から逸脱することなく、ヘッド２００内に完全に囲まれてよい。図１２〜図１４（以下で説明される）は、ヘッド２００の中に完全に囲まれた受け入れチューブ２４２を示す。
【００６６】
いくつかの形態では、受け入れチューブ２４２は、プレー位置にあるとき、フェース２１１、ソール２１５、及び／又はクラブヘッド２００の垂直軸に対して角度が付けられ得る。本明細書で説明されるように、「垂直軸」は、クラブヘッド２００がプレー位置にあるとき、平坦なプレー面に垂直なラインに沿って延び、ホーゼル１０４の軸は垂直平面内にあり、フェース２１１は、クラブヘッド２００のために指定された所望のロフト角度に設定される。したがって、ウェイト部材は、そのような角度の付いた受け入れチューブ２４２内でウェイト２４０を調整することによって、たとえば、高／低と前／後の両方で、ハイブリッドなやり方で調整されてよい。一実施形態では、受け入れチューブ２４２の軸は、垂直軸から０〜６０°であってよい。他の実施形態では、受け入れチューブ２４２の軸は、垂直軸から０〜５０°又は２０〜５０°であってよい。図２〜図６に示される実施形態では、受け入れチューブ２４２の軸は、フェース２１１と略平行であり、ソール２１５からクラウン２１４の方へ垂直軸Ｖに対して背面２１２にわずかに角度（たとえば、１５°）が付けられる。したがって、図６のウェイト２４０は、垂直軸に対して上方及び後方に、又は垂直軸に対して前方及び下方に、ＣＧを調整するために、反転可能である。図６に示される受け入れチューブ２４２は、ヒール−トゥ方向に対して垂直平面（垂直軸によって画定される）内にあり、同じことが、以下で説明される図８〜図１０のチューブ２４２に当てはまることが理解される。さらなる実施形態では、受け入れチューブ２４２は、追加又は代替として、ヒール−トゥ方向に垂直軸に対して角度が付けられ得る。
【００６７】
本明細書で説明される他の実施形態は、垂直軸に対する受け入れチューブ２４２のさまざまな向きを示す。図８に示される別の実施形態では、受け入れチューブ２４２の軸は、受け入れチューブ２４２はソール２１５近接するよりもクラウン２１４に近接するフェース２１１に近くなるように、フェース２１１に対して角度が付けられ、また、ソール２１５からクラウン２１４の方へ垂直軸Ｖに対してフェース２１１に向かって角度（たとえば、１５°）が付けられる。したがって、図８のウェイト２４０は、上方及び前方又は下方及び後方にＣＧを調整するために反転可能である。図９に示される別の実施形態では、受け入れチューブ２４２の軸は、受け入れチューブ２４２は近接するクラウン２１４よりもソール２１５に近接するフェース２１１に近くなるように、フェース２１１に対して角度が付けられ、また、ソール２１５からクラウン２１４の方へ垂直軸Ｖに対してフェース２１１から離れて（たとえば、４５°）が付けられる。したがって、図９のウェイト２４０は、上方及び後方又は前方及び下方にＣＧを調整するために反転可能である。図９Ａに示される別の実施形態では、受け入れチューブ２４２の軸は、受け入れチューブ２４２はソール２１５に近接するよりもクラウン２１４に近接するフェース２１１に近くなるように、フェース２１１に対してわずかに角度が付けられ、垂直軸Ｖに平行又は略平行である。したがって、図６のウェイト２４０は、上方又は下方にＣＧを調整するために反転可能である。図８〜図９Ａの実施形態は、それ以外では、上記で説明された図２〜図６の実施形態に類似している。複数の受け入れチューブ２４２は、また、垂直構成、水平構成、又は角度付き構成で利用可能である。たとえば、以下でより詳細に説明される図１０及び図１２〜図１４は、２つの受け入れチューブを有する実施形態を示す。
【００６８】
図１０は、上記で説明され図２〜図９Ａに示される受け入れチューブ２４２に類似した、ヘッド２００のソール２１５からクラウン２１４まで延びる２つの受け入れチューブ２４２Ａ及び２４２Ｂを有する別の実施形態を示す。図１０の実施形態では、２つのチューブは、互いに隣接し両方ともソール２１５上の同じ凹部エリア２４８に通じる開口２４３Ａ及び２４３Ｂを有する。さらに、受け入れチューブ２４２Ａ、２４２Ｂの各々は、それぞれの受け入れチューブ２４２Ａ、２４２Ｂを支持するために、クラウン２１４の下側２１４ａ上に配置された別個のプラットフォーム２４６Ａ及び２４６Ｂを有する。この実施形態では、第１の受け入れチューブ２４２Ａの軸は、受け入れチューブ２４２Ａはソール２１５に近接するよりもクラウン２１４に近接するフェース２１１に近くなるように、フェース２１１に対して角度が付けられ、また、ソール２１５からクラウン２１４の方へ垂直軸Ｖに対してフェース２１１の方へ角度（たとえば、１５°）が付けられる。したがって、第１の受け入れチューブ２４２Ａのウェイト２４０Ａは、上方及び前方又は下方及び後方にＣＧを調整するために反転可能である。この実施形態では、第２の受け入れチューブ２４２Ｂの軸は、フェース２１１と略平行であり、また、ソール２１５からクラウン２１４の方へ垂直軸Ｖに対してフェース２１１から離れるように角度（たとえば、１５°）が付けられる。したがって、図９のウェイト２４０は、上方及び後方又は前方及び下方にＣＧを調整するために反転可能である。第２の受け入れチューブ２４２Ｂは、一実施形態では、空隙２３０に露出された少なくとも一部分を有してよく、図７に示されるように、ヘッド２００が壁２３２を含む別の実施形態では、内側空洞２３４の中に完全に含まれてよい。他の実施形態では、複数の受け入れチューブ２４２が、異なる構成又は向きで設けられてよい。一例として、複数の受け入れチューブ２４２は、同じ開口を共有してよく、図１０に示されるような複数の締結具２４４ではなく、単一の締結具２４４によって閉鎖されてよい。別の例として、３つ以上の受け入れチューブ２４２が利用されてもよい。
【００６９】
図１２は、背面に形成され、調整可能なウェイト部材を有する空隙３４０を有する別のゴルフクラブヘッド３００を示す。ゴルフクラブヘッド・ボディ３０２は、基部３２０と、第１のレッグ３２２と、第２のレッグ３２４とをさらに有する。第１のレッグ３２２は、前面３１０及び打球フェース３１１から離れて延び、第２のレッグ３２４は、打球フェース３１１から離れて延びる。レッグ３２２、３２４はまた、前面３１０から背面３１２に向かって互いから離れてさらに延び、第１のレッグ３２２と第２のレッグ３２４との間に画定された略Ｖ字形空隙３３０を作成する。図１２に示されるように、空隙３３０は、ゴルフクラブヘッド３００の背縁３１２ａから、内側へ、ゴルフクラブヘッド３００の中心又は中央領域に向かって、及び打球フェース３１１に向かって延び得る。空隙３３０は、ゴルフクラブヘッド３００の中心に近接するよりも、ゴルフクラブヘッドの背縁３１２ａに近接する方が幅広くなり、それによって、Ｖ字形を形成し得る。一実施形態では、第１のレッグ３２２は第１の側方３０７を画定し、第２のレッグは第２の側方３０９を画定し、側方３０７、３０９は全体的に、向かい合った関係にある。Ｖ字形空隙３３０の側方３０７、３０９は略直線状又は略平面状であり、又は言い換えれば、側方３０７、３０９は、略平坦な面を提供し得る。側方３０７、３０９はさらに、非直線状及び／又は非平面状であってよく、遮られた面、非平坦な面などを画定し得ることが理解される。図１２の実施形態における空隙３３０は、クラブヘッド・ボディ３０２のクラウン３１４の下側３１４ａまで延び、側方３０７、３０９は両方とも、ボディ３０２のクラウン３１４の下側３１４ａに従属する。この実施形態では、カバー３５０は、ボディ３０２の残りを有する単一のピースとして形成されるが、別の実施形態では、カバー３５０は、上記で説明されたように、さまざまな異なる技法によってボディ３０２に接続され得る別個のピースから形成され得る。
【００７０】
図１２にさらに示されるように、レッグ３２２、３２４及び側方３０７、３０９は、打球フェース３１１に向かって、レッグ３２２と３２４の間に、及び側方３０７と３０９との間に配置されたインターフェースエリア３２６に集束する。インターフェースエリア３２６は、クラブヘッド３００の中央領域内に、又はこれに近接して位置決めされてよく、この位置は変化してよい。たとえば、クラブヘッド３００は幅寸法（前面から背面）を画定し、インターフェースエリア３２６は、フェース３１１から測定して、幅寸法の３０％〜６０％の範囲に位置決めされ得る。別の例として、インターフェースエリア３２６は、フェース３１１から測定して、幅寸法の約４４％背面に位置決めされ得る。さらなる例として、インターフェースエリア３２６は、フェース３２６から後方に約１．８７５インチのところに位置決めされ得る。側方３０７、３０９及びインターフェースエリア３２６は、ガセット又は他の支柱部材又は硬化部材などの、クラブヘッド・ボディ３０２によって画定された内部空洞内の内面上にそれと関連付けられたいくつかの性能及び強度強化構造を有してよい。側方３０７、３０９の外面はまた、強度及び／又は剛性を提供する。
【００７１】
ゴルフクラブヘッド３００は、２つのウェイト・レシーバ３４２ａ、３４２ｂ内に受け入れられる２つのウェイト部材３４０ａ及び３４０ｂを含む。図１２に示される実施形態では、一方のウェイト・レシーバ３４２ａは、トゥ３１６により近接して配置され、他方のウェイト・レシーバ３４２ｂは、ヒール３１８により近接して配置される。２つのウェイト部材３４０ａ、３４０ｂは、一端が別の端よりも重くなり得るように、図２〜図１０のウェイトに類似して構成されてよい。他の実施形態では、ウェイト部材３４０ａ、３４０ｂ及びウェイト・レシーバ３４２ａ、３４２ｂは、追加又は代替として、上記で説明された形態に類似した受け入れチューブを有するなどの、別の様式で設置されてよい。
【００７２】
ウェイト３４０ａ、ｂは、異なるように加重された端又は部分を有する、図６及び図８〜１０に示されるウェイトに類似してよく、同様に、ゴルフクラブヘッド３００の全重量配置を調整し、ゴルフクラブヘッド３００の性能特性を調整するために、互いとは無関係に、除去及び反転され、回転されるなどであってよい。図１２の実施形態は、上記で図２〜図１０に関して説明されたウェイト受け入れチューブの形であってよいウェイト・レシーバ３４２ａ、３４２ｂも含んでよい。図１２の実施形態では、トゥ３１６に近接したウェイト・レシーバ３４２ａは、レシーバ３４２ａがヘッド３００の前面３１０から背面３１２の方へ進むにつれて、第１のレッグ３２２及び第１の側方３０７に沿って、ヘッド３００の中心線から離れて、よりトゥ３１６の方へ曲がる方向に延びる。したがって、ウェイト３４０ａを反転させることによって第１のウェイト３４０ａは、前面３１０及びヘッド３００の中心により近くなるように、又は背面３１２及びヘッド３００のトゥ３１６により近くなるように、ＣＧを調整するように調整可能である。さらに、この実施形態では、ヒール３１８に近接したウェイト・レシーバ３４２ｂは、レシーバ３４２ａがヘッド３００の前面３１０から背面３１２の方へ進むにつれて、第２のレッグ３２４及び第２の側方３０９に沿って、ヘッド３００の中心線から離れて、よりヒール３１８の方へ曲がる方向に延びる。したがって、第２のウェイト３４０ｂは、ウェイト３４０ｂを反転させることによって、ヘッド３００の前面３１０及び中心により近くなるように、又はヘッド３００の背面３１２及びヒール３１８により近くなるように、ＣＧを調整するように調整可能である。各ウェイトは、ゴルフクラブヘッド３００の性能特性をカスタマイズするために、他のウェイトとは無関係に余調整され得る。上記で説明された締結具３４４は、レシーバ３４２ａ、３４２ｂ内でウェイト３４０ａ、３４０ｂを保持するために利用され得る。ヘッド３００は、側方３０７、３０９及び／又はレッグ３２２、３２４上に配置された窓３４５をさらに含んでよく、窓３４５は、ウェイト・レシーバ３４２ａ、３４２ｂの内部に可視性を提供する。
【００７３】
図１２にさらに示されるように、クラブヘッド３００は、ソール３１５上に追加の構造を有してよい。たとえば、クラブヘッド３００は、クラブヘッド３５２のソールを横切ってヒール３１８からトゥ３１６まで延び、打球フェース３１１に全体的に隣接するチャネル３５２を有してよい。チャネル３５２は、ボール・インパクト時にクラブヘッド３００のある量の圧縮を可能にする。この特徴は、他のクラブヘッド構造及び重量特性と協働して、クラブの性能をさらに高め得る。さらに、図１２に示される実施形態では、シャフト（図１２に図示されず）の接続を目的としたホーゼル３０４の内部接続構造へのアクセスのための穴すなわちアクセス開口３５３が、チャネル３５２の中で露出され、チャネル３５２と交差し、チャネル３５２と連通する。内部接続構造は、米国特許出願第６１／５７７，６６０号及び第６１／５２６，３２５号において図示及び説明される調整可能な接続構造などの、シャフト１０６の解放可能及び／又は調整可能な接続のように構成されてよく、これらの出願は、参照により本明細書に組み込まれる。他の調整可能な機構も使用可能である。別の例として、クラブヘッド３００は、チャネル３５２からインターフェースエリア３２６まで後方に延びる平坦化されたキール３５１をソール３１５上に有してよい。さらなる例として、レッグ３２２、３２４は各々、インターフェースエリア３２６に隣接して位置決めされた凹部エリア３４８を有してよく、各ウェイト・レシーバ３４２ａ、３４２ｂの開口３４３は、凹部エリア３４８内に位置決めされる。インターフェースエリア３２６は、２つのレッグの間に配置され、ソール３１５からクラウン３１４の下側３１４ａまで延びる傾斜した平面状中央面３２６ａ、ならびに中央面３２６ａに対する鈍角をなして中央面３２６ａの両側に配置された２つの傾斜した平面状側面３４９を含んでよい。側面３４９は、キール３５１から凹部エリア３４８まで内側に延びる。各凹部エリア３４８は、この実施形態では、略平面状面であってもよい。
【００７４】
図１３及び図１４は、調整可能なウェイトを有する別のゴルフクラブヘッド配置を示す。クラブヘッド４００は、同様に上記で図１２の実施形態に関して説明されたように、クラブヘッド４００のカバー４５０又はクラウン４１４の下に空隙４３０を画定する１対の離隔されたレッグ４２２、４２４を有する。レッグ４２２、４２４はまた、上記で説明されたように、前面４１０から背面４１２に向かって互いから離れてさらに延び、略Ｖ字形構成で空隙４３０を画定する。レッグ４２２、４２４は、上記でさらに説明されたように、クラブヘッド４００のクラウン４１４の下側４１４ａに従属するレッグ４０７、４０９を画定する。またさらに、この実施形態では、レッグ４２２、４２４及び側方４０７、４０９は、打球フェース４１１に向かって、レッグ４２２と４２４の間に、及び側方４０７と４０９との間に配置されたインターフェースエリア４２６に集束する。インターフェースエリア４２６は、上記で図１２に関して説明されたように、クラブヘッド４００の中央領域内に、又はこれに近接して位置決めされてよく、この位置は変化してよい。側方４０７、４０９及びインターフェースエリア４２６はまた、上記で説明されたように、それと関連付けられたいくつかの性能及び強度強化構造を有してよい。さらに、ボディ４０２は、上記で説明されたように、シャフト（図示せず）の接続を目的としたホーゼル４０４の内部接続構造へのアクセスのための穴すなわちアクセス開口４５３を有してよい。アクセス開口４５３は、図１３〜図１４に示されるように、ソール４１５上で露出される。
【００７５】
図示のウェイト配置は、それぞれ第１のレシーバすなわち受け入れ部４４２ａ及び第２のレシーバすなわち受け入れ部４４２ｂ内に受け入れられる２つの調整可能なウェイト４４０ａ、４４０ｂを含む。上記で説明された形態と同様に、調整可能なウェイト４４０ａ、４４０ｂは、異なるように加重された端又は部分を有してよく、解放可能に互いに接続され、さまざまなウェイト値を有する複数のウェイト部材からも作製されてもよい。例示的な一実施形態では、第１のレシーバは第１の受け入れチューブ４４２ａであり、第２のレシーバは第２の受け入れチューブ４４２ｂである。第１の受け入れチューブ４４２ａは、ボディ４０２上の中央場所においてインターフェースエリア４２６に近接して位置決めされた垂直構成を有し、ソール４１５において開口４４３ａからボディ４０２内へと内側に延びる。第２の受け入れチューブ４４２ｂは、一般的な水平構成を有し、第１の受け入れチューブ４４２ａ及びインターフェースエリア４２６近傍からクラブヘッド４００の背面４１２に向かって延びる。第２の受け入れチューブ４４２ｂの端は、クラブヘッド４００の背面周囲に接続される。２つのウェイトが示されているが、より多い又はより少ないウェイトが必要に応じて使用されてよいことが理解される。第１の受け入れチューブ４４２ａは、Ｖ字形空隙４３０の基部に設置されてよく、図１３〜図１４に示されるように、インターフェースエリア４２６は、第１のレッグ４２２と第２のレッグ４２４の接合部において全体的に第１の受け入れチューブ４４２ａを支持し、したがって、第１のレッグ４２２及び第２のレッグ４２４は、受け入れチューブ４４２に収束する。第１の受け入れチューブ４４２ａは、インターフェースエリア４２６において完全に入れられてよく、ならびに／又はインターフェースエリア４２６においてインターフェースエリア４２６及び任意の内部構造補強部によって支持されてよい。第１の受け入れチューブ４４２ａは、開口４４３ａの周りで凹部エリア４４６ａも有し、傾斜した壁４４９ａは、ソール４１５から内側に傾斜して凹部エリア４４８ａを画定する。
【００７６】
図１３〜図１４の実施形態では、第２の受け入れチューブ４４２ｂは、空隙４３０に沿って延び、チューブ４４２ａとカバー４５０の下側面４１４ａ又はクラウン４１４との間に画定された空間すなわちギャップ４６０を有する。第２の受け入れチューブ４４２ｂへの開口４４３ｂは、クラブヘッド４００の背面４１２に近接して開放端４６３に位置決めされる。第２の受け入れチューブ４４２ｂは、インタフェース部分４２６及び第１の受け入れチューブ４４２ａの開放端４４３ａに近接して閉塞端４６１も有する。この実施形態では、第２の受け入れチューブ４４２ｂは、インタフェース部分４２６によって閉塞端４６１において懸架され、クラブヘッド４００の背面４１２に近接して開放端４６３において懸架され、受け入れチューブ４４２ｂをクラウン４１４の下側４１４ａから離隔する。ボディ４０２は、レッグ４２２、４２４の端の間でクラブヘッド４００の背面４１２の一部分の周りに延びる背面リム４６２を含み、背面リム４６２は、レッグ４２２、４２４及びインターフェースエリア４２６と結合して空隙４３０を画定する。この実施形態では、背面リム４６２は、第２の受け入れチューブ４４３ｂの開放端４６３を支持及び懸架し、したがって、開口４４３ｂが、背面リム４６２の中に画定される。第２の受け入れチューブ４４２ｂは、開口４４３ｂの周りに凹部エリア４４８ｂも有し、傾斜した壁４４９ｂは、背面リム４６２から内側に傾斜して凹部エリア４４８ｂを画定する。同様に上記で説明されたように、第２の受け入れチューブ４４２ｂは、人がチューブ４４２ｂ内のウェイト４４０ｂを見ることを可能にするために、窓４４５を有し得る。
【００７７】
上記で説明されたいくつかの形態と同様に、ウェイト４４０ａ、４４０ｂは、ゴルフクラブヘッド４００内の受け入れチューブ４４２ａ、４４２ｂの中に含まれる。いくつかの例では、受け入れチューブ内でのウェイト４４０ａ、４４０ｂの位置は、ビス又は他のねじ付き締結具などの締結具４４４によって維持され得る。受け入れチューブは、第２の受け入れチューブ４４２ｂのように、見えてもよいし、第１の受け入れチューブ４４２ａのように、クラブの外側から見えないようにゴルフクラブヘッド４００の一部分の中に含まれてもよい。
【００７８】
ウェイト４４０ａ、４４０ｂは、ゴルフクラブヘッドの性能特性を調整するために、回転可能、取り外し可能、調整可能などであってよい。たとえば、第２のウェイト４４０ｂの調整は、前面から背面の方向にゴルフクラブヘッド４００の重量分散及びＣＧを調整してよい。すなわち、第２のウェイト４４０ｂのより重い端をインターフェースエリア４２６の近くに位置決めすることによって、クラブヘッド４００の全重量及びＣＧがゴルフクラブヘッド４０２の前面４１０又はフェース４１１の方へ調整される。代替として、第２のウェイト４４０ｂのより重い端をゴルフクラブヘッド４００の背面４１２の方へ位置決めすることによって、クラブヘッド４００の全重量及びＣＧがゴルフクラブヘッド４００の後面すなわち背面４１２の方へシフトされ得る。
【００７９】
第１のウェイト４４０ａも、ゴルフクラブヘッド４００の全重量特性を調整するために、調整可能、取り外し可能、回転可能などであってよい。たとえば、第１のウェイト４４０ａの調整は、高いから低い方向にゴルフクラブヘッド４００の重量分散及びＣＧを調整してよい。すなわち、より重い端を先に挿入すること（すなわち、第１の受け入れチューブ４４２ａがゴルフクラブヘッド４００のソール４１５からアクセスされるので、より重い端をクラウン４１４の方へ位置決めすること）によって、全重量及びＣＧがゴルフクラブヘッド４００のクラウン４１４の方へ調整され得る。代替として、より軽い端を先に（すなわち、クラウン４１４の方へ）挿入することによって、全重量及びＣＧがゴルフクラブヘッド４００の底面すなわちソール４１５の方へ調整される。
【００８０】
ウェイト４４０ａ、４４０ｂは、互いとは無関係に調整され得る。上記で説明されたように、ウェイト４４０ａ、４４０ｂの調整、回転などによって、ゴルフクラブヘッド４００の重心が必要に応じて移動又は調整され得る。前／後方向と高／低すなわちソール／クラウン方向の両方にウェイトを調整するというハイブリッド配置は、ゴルフクラブヘッド４００の加重及び／又は性能特性のさらなるカスタマイズを提供し得る。受け入れチューブ４４２ａ、４４２ｂは、さらなる調整能力を提供する枢動可能な支持によって支持可能であることも理解される。レシーバすなわち受け入れ部４４２ａ、４４２ｂは略長手方向軸を有し、ウェイト４４０ａ、４４０ｂは長手方向軸に沿って受け入れられることもさらに理解される。図１３〜図１４の実施形態では、第２の受け入れチューブ４４２ｂ及び第２のウェイト４４０ｂの長手方向軸は、打球フェース４１１に対して略直角である。この実施形態では、第１の受け入れチューブ４４２ａ及び第１のウェイト４４０ａの長手方向軸は、打球フェース４１１と略平行である。さらに他の構造では、これらの長手方向軸のどちらか又は両方は、打球フェース４１１に対して斜角をなして位置決めされ得る。
【００８１】
本発明のゴルフクラブヘッドのいくつかの異なる実施形態が、本明細書で説明されている。さまざまな実施形態は、利益及び性能特性の向上を提供するいくつかの異なる特徴及び構造を有する。さまざまな特徴及び構造のいずれも、本発明の特定のクラブヘッドを形成するために組み合わされてよいことが理解される。
【００８２】
本明細書で開示されるゴルフクラブヘッドの構造は、いくつかの利益を提供する。ゴルフクラブヘッドのユニークな形状は、ゴルフクラブヘッドの質量特性の有益な変更を提供する。幾何学的重量特性は、重量の減少及び／又は重量再分散の改善をもたらす。材料が、そのような通常であれば存在するであろう材料の代わりに空隙が画定される従来のゴルフクラブヘッドから除去されるので、クラブヘッド内に画定された空隙は、全重量を減少させることができる。空隙は、性能特性の改善をもたらすためにクラブヘッド全体にわたって重量を戦略的に分散させる助けにもなる。空隙は、トゥ及びヒールにおいてクラブヘッドの背面コーナーに対して重量を分散させることをもたらす。クラブヘッドの重心の場所を最適化しながら、慣性モーメントの増加が達成されている。このことによって、より許容度の高いゴルフクラブヘッド、ならびに、より容易にロフトされるゴルフ・ショットを提供できるゴルフクラブヘッドが提供可能である。いくつかの例示的な実施形態では、空隙を形成するために除去されたゴルフクラブヘッドの部分に関連付けられた重量は、約４〜１５グラム、より具体的には約８〜９グラムになり得る。他の例示的な実施形態では、この重量削減は、トゥ及びヒールにおける背面の方へなどのクラブヘッドの他のエリアに再分散され得る。いくつかの例示的な実施形態では、重量の約２％から７．５％が、より伝統的なゴルフクラブヘッド設計から再分散される。さらに別の例では、空隙は、クラブのソール面及び背面から延びる仮想平面によって画定された体積を有し、レッグの側面及びカバーの下側部分と協働すると考えられ得る。内部空洞も、ある程度の体積を有してよい。体積は、所望の性能特性に影響を及ぼすような寸法とされる。重量削減又は他の重量再分散をもたらすためにクラブヘッドのいくつかの部分が代替材料から形成可能であることがさらに理解される。例示的な一実施形態では、空隙を画定する壁は、複合材料又はポリマー系材料などの他の材料から作製されてよい。
【００８３】
説明されたように、重量は、性能向上のために、クラブヘッドのより望ましい場所に再分散可能である。たとえば、中央に配置された空隙及びヒール側及びトゥ側で背面に向かって外側に延びるレッグの場合、より多くの重量が、そのようなエリアに配置される。このことによって、より望ましい慣性モーメント性質がもたらされる。本明細書で説明される設計では、クラブヘッドの重心を通る垂直軸（ｚ軸）についての慣性モーメント（ＭＯＩ）（Ｉｚｚ）は、ゴルフクラブのタイプに応じて約１５００ｇｍ・ｃｍ２から５９００ｇｍ・ｃｍ２の範囲に及ぶことができる。ドライバー・タイプのゴルフクラブのための例示的な一実施形態では、クラブヘッドの重心を通る垂直軸（ｚ軸）についての慣性モーメント（Ｉｚｚ）は、約３８００ｇｍ・ｃｍ２から５９００ｇｍ・ｃｍ２の範囲に及ぶことができ、さらなる例示的な一実施形態では、Ｉｚｚ慣性モーメントは、４３００ｇｍ・ｃｍ２から５２００ｇｍ・ｃｍ２の範囲に及ぶことができる。フェアウェイ・ウッド・タイプのゴルフクラブのための例示的な一実施形態では、クラブヘッドの重心を通る垂直軸（ｚ軸）についての慣性モーメント（Ｉｚｚ）は、約２０００ｇｍ・ｃｍ２から３５００ｇｍ・ｃｍ２の範囲に及ぶことができ、さらなる例示的な一実施形態では、Ｉｚｚ慣性モーメントは、２２００ｇｍ・ｃｍ２から３０００ｇｍ・ｃｍ２の範囲に及ぶことができる。ハイブリッドタイプのゴルフクラブのための例示的な一実施形態では、クラブヘッドの重心を通る垂直軸（ｚ軸）についての慣性モーメント（Ｉｚｚ）は、約２０００ｇｍ・ｃｍ２から３５００ｇｍ・ｃｍ２の範囲に及ぶことができ、さらなる例示的な一実施形態では、Ｉｚｚ慣性モーメントは、２２００ｇｍ・ｃｍ２から３０００ｇｍ・ｃｍ２の範囲に及ぶことができ、さらなる例示的な一実施形態では、Ｉｚｚ慣性モーメントは、１８００ｇｍ・ｃｍ２から２８００ｇｍ・ｃｍ２の範囲に及ぶことができる。ホーゼル内で調整可能な接続機構を利用する特定の一実施形態では、Ｉｚｚ慣性モーメントは、約４４００ｇｍ・ｃｍ２から４７００ｇｍ・ｃｍ２である。これらの値は、変化してよい。そのような慣性モーメント性質があれば、ボール距離の改善は、中心を叩けば達成可能である。また、そのような慣性モーメント性質があれば、クラブヘッドは、中心を外して叩いたとき、ねじれに対してより大きな抵抗を有し、失われる距離が短くなり、より小さなボールの曲がりが依然として達成される。したがって、より許容度の高いクラブヘッド設計が達成される。その結果、ゴルファーは、ゴルフクラブ・スイング・スピードの増加とともに、より大きな自信を感じることができる。
【００８４】
さらに、クラブヘッドの重心は、本明細書で説明される戦略的加重によって、性能を高める場所に位置決め可能である。ゴルフクラブヘッドの例示的な実施形態の構造では、重心は、クラブヘッドの空隙場所の外部及びクラブヘッドの内部空洞又は内部体積の内部に位置決めされる。いくつかの例示的な実施形態では、重心は打球フェースの内部面と基部支持壁の内部面との間、又は内部空洞内に配置される。
【００８５】
さらに、ゴルフクラブヘッドの形状及び構造は、音特性の向上をもたらす。いくつかの実施形態では、ゴルフクラブヘッドの６つの剛体モードとは異なる、ゴルフクラブヘッドの第１の固有周波数は、２７５０〜３２００Ｈｚの範囲であってよい。追加の例示的な実施形態では、ゴルフクラブヘッドの第１の固有周波数は、少なくとも３０００Ｈｚであってよい。２５００Ｈｚ未満のそのような周波数を提供するゴルフクラブヘッド構造は、音及び／又は触覚フィードバックを含む望ましくない感覚をもたらすことによって、使用者にとって不愉快である傾向が高くなり得ることがわかっている。本明細書で提供される構造は、より望ましいレベルでの周波数の増加をもたらす。
【００８６】
さらに、本明細書で用いられる移動可能なウェイト機構は、慣性モーメント性質及び重心性質のさらなる調整性をもたらす、ウェイトを分散させるための追加の選択肢を提供する。たとえば、ヒール及びトゥにおいてクラブヘッドの背面の方へさらに移動可能なウェイトを提供する、本明細書で説明される実施形態は、より容易にロフトされるゴルフ・ショットを提供することができる。ウェイトは、クラブヘッドの前面の方へより近づいて、強風条件で望ましいショットなどのより突き刺すようなショットを提供することもできる。ウェイトは、いくつかの実施形態では、ゴルフクラブヘッドのクラウンもしくはソール及び／又はヒールもしくはトゥの方へより近づいて位置決め可能でもある。そのような移動可能な重量特性は、追加のカスタマイズを提供する。
【００８７】
最後に、調整可能な接続機構は、クラブヘッドとともに使用して、フェース角度、ロフト角度、及び／又はライ角度に関するクラブヘッドの調整性を提供することができる。上記で説明されたアクセス開口は、そのような接続構造又は接続機構へのアクセスを提供し得る。上記で説明された調整可能な接続機構を利用するさらなる実施形態は、ゴルファーがゴルフクラブのロフト角度などのゴルフクラブのパラメータを調整することを可能にする。あるゴルファーは、限定するものではないが、７．５度、８度、又は８．５度、又はさらには９度などの、より低いロフト角度設定を希望する。そのような低ロフト角度設定は、ボール・インパクト時により低いボール・スピンを提供し得る。図２〜図１４に示されるものなどの移動可能なウェイト機構は、ゴルフクラブヘッドのソールの方へより重いウェイトを低く置くために利用可能である。この加重構成は、低ロフト角度設定でボール・スピンの増加をもたらすことができる。ある他のゴルファーは、限定するものではないが、１１度、１１．５度、１２度、又は１２．５度などの、より高いロフト設定を希望することがある。そのような高ロフト角度設定は、ボール・インパクト時により高いボール・スピンを提供し得る。移動可能なウェイト機構は、ゴルフクラブヘッドの上部の方へ、より重いウェイトを高く置くために利用可能である。この加重構成は、高ロフト角度設定でボール・スピンの減少をもたらすことができる。図２〜図１４で提供されるものなどの追加の移動可能なウェイト機構は、性能特性に影響を与え、特定のロフト角度設定での特定の所望の打ち上げ条件を提供するために、高／低及び前／後加重構成の組み合わせを提供し得る。
【００８８】
したがって、さまざまな実施形態の基本的な新規な特徴を図示、説明、及び指摘してきたが、図示のデバイスの形態及び詳細ならびにその動作におけるさまざまな省略、置き換え、及び変更が、本発明の趣旨及び範囲から逸脱することなく、当業者によって加えられ得ることが理解されよう。たとえば、実質的に同じやり方で実質的に同じ機能を実行して同じ結果を達成するそれらの要素及び／又はステップのあらゆる組み合わせが本発明の範囲に含まれることが、明確に意図される。説明された一実施形態から別の実施形態への要素の置き換えも、十分に意図及び企図されている。したがって、本明細書に添付の特許請求の範囲によって示されると制限されることのみが意図である。
【００８９】
本明細書の開示により、少なくとも下記する項目に記載された実施形態が把握される。
［項目１］
打球フェースと、前記打球フェースの反対側の背面と、クラウンと、ソールと、ヒールと、トゥとを有するボディを備え、前記ボディは、前記ソール上の周縁によって画定された空隙を有し、前記ボディは、前記空隙上を延びて前記クラウンの少なくとも一部分を形成するカバーをさらに画定しており、前記空隙の前記周縁の少なくとも一部分が、前記周縁から内側に前記空隙内へと延びるリップを含む、ゴルフクラブヘッド。
［項目２］
前記ソールに接続されているとともに前記ソール内に開口を有するウェイト受け入れ部をさらに備え、前記ウェイト受け入れ部は前記開口を通じてウェイトの挿入を受け入れるように構成されている、項目１に記載のゴルフクラブヘッド。
［項目３］
前記ウェイト受け入れ部は、前記クラウンの下側及び前記ソールの上側に接続されて前記クラウンから前記ソールに延びる受け入れチューブを備える、項目２に記載のゴルフクラブヘッド。
［項目４］
前記受け入れチューブ内に受け入れられたウェイトをさらに備え、前記ウェイトは、重量部分と軽量部分とを有し、前記ウェイトは、取り外し可能であるとともに、前記ヘッドの重量特性を調整するために、前記受け入れチューブ内の複数の位置へ挿入可能である、項目３に記載のゴルフクラブヘッド。
［項目５］
前記受け入れチューブは、前記開口に近接するねじ部を含み、前記ヘッドは、前記受け入れチューブ内で前記ねじ部と取り外し可能に係合して前記受け入れチューブ内に前記ウェイトを保持するねじ付き締結具をさらに備える、項目４に記載のゴルフクラブヘッド。
［項目６］
前記ソールは、前記ソール内で隣接するエリアに対して内側へ凹設された凹部エリアを有し、前記凹部エリアは前記開口を取り囲んでいる、項目３に記載のゴルフクラブヘッド。
［項目７］
頂部から前記ソールまで延びるとともに前記ウェイト受け入れ部から前記ボディの前記トゥまで延びる第１の壁と、前記頂部から前記ソールまで延びるとともに前記ウェイト受け入れ部から前記ボディの前記ヒールまで延びる第２の壁とをさらに備えており、前記第１の壁及び前記第２の壁は、前記第１の壁及び前記第２の壁と前記フェースとの間に完全に囲まれた内側空洞を画定しており、前記第１の壁及び前記第２の壁は、前記空隙を前記内側空洞から分離している、項目２に記載のゴルフクラブヘッド。
［項目８］
前記リップは、前記周縁全体の周りを延びている、項目１に記載のゴルフクラブヘッド。
［項目９］
前記周縁は、前記空隙をＵ字形状に画定しており、前記Ｕ字形状は、前記ボディの前記背面近傍から前記フェースに向かって延びるヒール部分及びトゥ部分と、前記ボディの前記背面近傍において前記ヒール部分と前記トゥ部分とを接続する接続部分とを有し、前記空隙は、前記ソール上で前記フェースに近接する点から後方に延びる半島部を画定ており、前記ヒール部分及び前記トゥ部分は前記半島部の両側に位置する、項目１に記載のゴルフクラブヘッド。
［項目１０］
前記リップは、前記半島部の全体の周りを延びる、項目９に記載のゴルフクラブヘッド。
［項目１１］
前記ボディの頂部から前記ソールまで延びるとともに前記ボディの前記ヒールから前記トゥまで延びる少なくとも一つの壁をさらに備え、前記少なくとも一つの壁と前記フェースとの間に完全に囲まれた内側空洞が画定されており、前記少なくとも一つの壁は、前記空隙を前記内側空洞から分離している、項目１に記載のゴルフクラブヘッド。
［項目１２］
項目１に記載のゴルフクラブヘッドと、前記ゴルフクラブヘッドに接続されたシャフトとを備えるゴルフクラブ。
［項目１３］
打球フェースと、前記打球フェースの反対側の背面と、クラウンと、ソールと、ヒールと、トゥとを有するボディであって、前記ソール上の周縁によって画定された空隙を有するとともに、前記空隙上を延びてクラウンの少なくとも一部分を形成するカバーをさらに画定する前記ボディと
前記ソールに接続されるとともに前記ソール内に開口を有し、前記開口を通じてウェイトの挿入を受け入れるように構成されたウェイト受け入れ部であって、前記クラウンの下側及び前記ソールの上側に接続されて前記クラウンから前記ソールまで延びる受け入れチューブをさらに有し、前記受け入れチューブの外面の少なくとも一部分が前記空隙に露出されるウェイト受け入れ部と、
を備えるゴルフクラブヘッド。
［項目１４］
前記受け入れチューブ内に受け入れられたウェイトをさらに備え、前記ウェイトは、重量部分と軽量部分とを有し、前記ウェイトは、取り外し可能であるとともに、前記ヘッドの重量特性を調整するために、前記受け入れチューブ内の複数の位置へ挿入可能である、項目１３に記載のゴルフクラブヘッド。
［項目１５］
前記受け入れチューブは、前記開口に近接するねじ部を含み、前記ヘッドは、前記受け入れチューブ内で前記ねじ部と取り外し可能に係合することによって前記受け入れチューブ内に前記ウェイトを保持するねじ付き締結具をさらに備える、項目１４に記載のゴルフクラブヘッド。
［項目１６］
前記ソールは、前記ソール内で隣接するエリアに対して内側へ凹設された凹部エリアを有し、前記凹部エリアは前記開口を取り囲んでいる、項目１３に記載のゴルフクラブヘッド。
［項目１７］
頂部から前記ソールまで延びるとともに前記受け入れチューブから前記ボディの前記トゥまで延びる第１の壁と、前記頂部から前記ソールまで延びるとともに前記受け入れチューブから前記ボディの前記ヒールまで延びる第２の壁とをさらに備えており、前記第１の壁及び前記第２の壁は、前記第１の壁及び前記第２の壁と前記フェースとの間に完全に囲まれた内側空洞を画定しており、前記第１の壁及び前記第２の壁は、前記空隙を前記内側空洞から分離している、項目１３に記載のゴルフクラブヘッド。
［項目１８］
前記周縁全体の周りで前記周縁から内側に前記空隙内へと延びるリップをさらに備える、項目１３に記載のゴルフクラブヘッド。
［項目１９］
前記周縁は、前記空隙をＵ字形状に画定しており、前記Ｕ字形状は、前記ボディの前記背面近傍から前記フェースに向かって延びるヒール部分及びトゥ部分と、前記ボディの前記背面近傍において前記ヒール部分と前記トゥ部分とを接続する接続部分とを有し、前記空隙は、前記ソール上で前記フェースに近接する点から後方に延びる半島部を画定しており、前記ヒール部分及び前記トゥ部分は前記半島部の両側に位置する、項目１３に記載のゴルフクラブヘッド。
［項目２０］
前記受け入れチューブは、前記ゴルフクラブヘッドの垂直軸に沿って設けられている、項目１３に記載のゴルフクラブヘッド。
［項目２１］
前記受け入れチューブは、前記ゴルフクラブヘッドの垂直軸に対して角度が付けられている、項目１３に記載のゴルフクラブヘッド。
［項目２２］
前記ソールに接続されているとともに前記ソール内に第２の開口を有する第２のウェイト受け入れ部をさらに備え、前記第２のウェイト受け入れ部は、前記第２の開口を通じて第２のウェイトの挿入を受け入れるように構成されているとともに、前記クラウンの下側及び前記ソールの上側に接続されて前記クラウンから前記ソールまで延びる第２の受け入れチューブをさらに有し、前記第１のウェイト受け入れ部と前記第２のウェイト受け入れ部とは、互いに斜角を成す向きで設けられている、項目１３に記載のゴルフクラブヘッド。
［項目２３］
前記受け入れチューブ内に受け入れられたウェイトと、前記第２の受け入れチューブ内に受け入れられた第２のウェイトとをさらに備え、前記ウェイト及び前記第２のウェイトの各々は、重量部分と軽量部分とを有し、前記ウェイト及び前記第２のウェイトは、取り外し可能であるとともに、前記ヘッドの重量特性を調整するために、それぞれ前記受け入れチューブ及び前記第２の受け入れチューブ内の複数の位置まで挿入可能である、項目２２に記載のゴルフクラブヘッド。
［項目２４］
項目１３に記載のゴルフクラブヘッドと、前記ゴルフクラブヘッドに接続されたシャフトとを備えるゴルフクラブ。
［項目２５］
打球フェースと、前記打球フェースの反対側の背面と、クラウンと、ソールと、ヒールと、トゥと、ボディの中央領域に近接するインターフェースエリアとを有するとともに、前記インターフェースエリアから離れるように前記背面及び前記ヒールに向かって延びる第１のレッグと、前記インターフェースエリアから離れるように前記背面及び前記トゥに向かって延びる第２のレッグとをさらに有し、前記第１のレッグと前記第２のレッグとの間に空隙が画定されている、ボディと、
前記ソールに接続されているとともに前記ソール内に前記インターフェースエリアに近接する第１の開口を有し、前記第１の開口を通じて第１のウェイトの挿入を受け入れるように構成されており、前記第１の開口から前記第１のレッグに沿って前記背面及び前記ヒールに向かって延びる、第１のウェイト受け入れ部と、
前記ソールに接続されているとともに前記ソール内に前記インターフェースエリアに近接する第２の開口を有し、前記第２の開口を通じて第２のウェイトの挿入を受け入れるように構成されており、前記第２の開口から前記第２のレッグに沿って前記背面及び前記ヒールに向かって延びる、第２のウェイト受け入れ部と、
を備えるゴルフクラブヘッド。
［項目２６］
前記第１のウェイト受け入れ部は、第１の円筒状受け入れチューブを備え、前記第２のウェイト受け入れ部は、第２の円筒状受け入れチューブを備える、項目２５に記載のゴルフクラブヘッド。
［項目２７］
前記第１の受け入れチューブ内に受け入れられた第１の円筒状のウェイトと、前記第２の受け入れチューブ内に受け入れられた第２の円筒状のウェイトとをさらに備え、前記第１のウェイト及び前記第２のウェイトの各々は、重量部分と軽量部分とを有し、前記第１のウェイト及び前記第２のウェイトは、取り外し可能であるとともに、前記ヘッドの重量特性を調整するために、それぞれ前記第１の受け入れチューブ及び前記第２の受け入れチューブ内の複数の位置まで挿入可能である、項目２６に記載のゴルフクラブヘッド。
［項目２８］
前記第１の受け入れチューブが、前記第１の開口に近接したねじ部を含み、前記第２の受け入れチューブが、前記第２の開口に近接したねじ部を含み、前記ヘッドが、前記第１の受け入れチューブ内で前記第１のウェイトを保持するために前記第１の受け入れチューブ内の前記ねじ部と解放可能に係合する第１のねじ付き締結具と、前記第２の受け入れチューブ内で前記第２のウェイトを保持するために前記第２の受け入れチューブ内の前記ねじ部と解放可能に係合する第２のねじ付き締結具とをさらに備える、項目２７に記載のゴルフクラブヘッド。
［項目２９］
前記ボディが、前記ソールの隣接エリアに対して内側に凹設された、前記第１のレッグ上の第１の凹部エリアをさらに備え、前記第１の凹部エリアが前記第１の開口を取り囲み、前記ボディが、前記ソールの隣接エリアに対して内側に凹設された、前記第２のレッグ上の第２の凹部エリアをさらに備え、前記第２の凹部エリアが前記第２の開口を取り囲む、項目２５に記載のゴルフクラブヘッド。
［項目３０］
前記ボディが、前記ソール上で前記インターフェースエリアに平坦化されたキールをさらに有し、前記インターフェースエリアが、前記２つのレッグの間に配置され、前記ソールから前記クラウンの下側まで延びる傾斜した平面状中央面と、前記中央面の両側に配置され、前記中央面に対して鈍角をなして方向付けられた２つの傾斜した平面状側面とを備え、前記側面が、前記キールから前記第１の凹部エリア及び前記第２の凹部エリアまで内側に延びる、項目２９に記載のゴルフクラブヘッド。
［項目３１］
項目２５に記載のゴルフクラブヘッドと、前記ゴルフクラブヘッドに接続されたシャフトとを備えるゴルフクラブ。
［項目３２］
打球フェースと、前記打球フェースの反対側の背面と、クラウンと、ソールと、ヒールと、トゥとを有するボディと、
第１のウェイト受け入れ部であって、前記ソールに接続され、前記第１のウェイト受け入れ部が第１の開口を通しての第１のウェイトの挿入を受け入れるように構成されるように、前記ボディの中央領域に近接して前記ソール内に前記第１の開口を有し、前記ソールに接続されて前記ソールから前記クラウンに向かって内側に延びる第１の受け入れチューブを備える、第１のウェイト受け入れ部と、
第２のウェイト受け入れ部であって、前記ソールに接続され、前記第２のウェイト受け入れ部が第２の開口を通しての第２のウェイトの挿入を受け入れるように構成されるように、前記ボディの前記背面に近接して前記第２の開口を有し、前記ソールに接続されて前記ボディの前記背面から前記フェースに向かって前方に延びる第２の受け入れチューブを備える、第２のウェイト受け入れ部と
を備えるゴルフクラブヘッド。
［項目３３］
前記ボディは、前記ボディの前記中央領域に近接するインターフェースエリアをさらに備え、前記第１の受け入れチューブは、前記インターフェースエリアに配置されており、前記ボディは、前記インターフェースエリアから離れるように前記背面及び前記ヒールに向かって延びる第１のレッグと、前記インターフェースエリアから離れるように前記背面及び前記トゥに向かって延びる第２のレッグとをさらに有し、前記第１のレッグと前記第２のレッグとの間に空隙が画定されている、項目３２に記載のゴルフクラブヘッド。
［項目３４］
前記第２の受け入れチューブは、前記第１のレッグと前記第２のレッグとの間で前記インターフェースエリアから後方に延びる、項目３３に記載のゴルフクラブヘッド。
［項目３５］
前記ボディは、前記レッグの間において前記ボディの前記背面の一部の周りを延びる背面リムをさらに備え、前記背面リムは、前記レッグ及び前記インターフェースエリアと結合して前記空隙を画定しており、前記背面リムは、前記第２の受け入れチューブの開放端を支持及び懸架しており、前記インターフェースエリアは、前記第２の受け入れチューブの閉塞端を支持及び懸架しており、前記第２の受け入れチューブは、前記空隙内に懸架されている、項目３４に記載のゴルフクラブヘッド。
［項目３６］
前記第１の受け入れチューブ内に受け入れられた第１の円筒状ウェイトと、前記第２の受け入れチューブ内に受け入れられた第２の円筒状ウェイトとをさらに備え、前記第１のウェイト及び前記第２のウェイトの各々は、重量部分と軽量部分とを有し、前記第１のウェイト及び前記第２のウェイトは、取り外し可能であるとともに、前記ヘッドの重量特性を調整するために、それぞれ前記第１の受け入れチューブ及び前記第２の受け入れチューブ内に複数の位置まで挿入可能である、項目３２に記載のゴルフクラブヘッド。
［項目３７］
前記第１のウェイトは、クラウン−ソール方向における前記クラブヘッドの前記重量特性を調整するように構成され、前記第２のウェイトは、前面−背面方向における前記クラブヘッドの前記重量特性を調整するように構成されている、項目３６に記載のゴルフクラブヘッド。
［項目３８］
前記第１の受け入れチューブは、前記第１の開口に近接するねじ部を含み、前記第２の受け入れチューブは、前記第２の開口に近接するねじ部を含み、前記ヘッドは、前記第１の受け入れチューブ内の前記ねじ部と取り外し可能に係合して前記第１の受け入れチューブ内に前記第１のウェイトを保持する第１のねじ付き締結具と、前記第２の受け入れチューブ内の前記ねじ部と取り外し可能に係合して前記第２の受け入れチューブ内に前記第２のウェイトを保持する第２のねじ付き締結具とをさらに備える、項目３６に記載のゴルフクラブヘッド。
［項目３９］
前記第１の受け入れチューブは第１の軸を有し、前記第２の受け入れチューブは第２の軸を有し、前記第１の軸と前記第２の軸とは垂直である、項目３２に記載のゴルフクラブヘッド。
［項目４０］
項目３２に記載のゴルフクラブヘッドと、前記ゴルフクラブヘッドに接続されたシャフトとを備えるゴルフクラブ。
【図１Ａ】
2019080940.tif 000003
【図１Ｂ】
2019080940.tif 000004
【図２】
2019080940.tif 000005
【図３】
2019080940.tif 000006
【図４】
2019080940.tif 000007
【図５】
2019080940.tif 000008
【図６】
2019080940.tif 000009
【図７】
2019080940.tif 000010
【図８】
2019080940.tif 000011
【図９】
2019080940.tif 000012
【図９Ａ】
2019080940.tif 000013
【図１０】
2019080940.tif 000014
【図１１】
2019080940.tif 000015
【図１２】
2019080940.tif 000016
【図１３】
2019080940.tif 000017
【図１４】
2019080940.tif 000018
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
打球フェースと、前記打球フェースの反対側の背面と、クラウンと、ソールと、ヒールと、トゥとを有するボディを備え、
前記打球フェースは、面を画定し、
前記ボディは、前記ソール上の周縁によって画定された空隙を有し、
前記ボディは、前記空隙上を延びて前記クラウンの少なくとも一部分を形成するカバーをさらに画定しており、
前記空隙の前記周縁の少なくとも一部分が、前記周縁から内側に前記空隙内へと延びるリップを含み、
前記ソールに接続されているとともに、前記ソール内に開口を有するウェイト受け入れ部をさらに備え、
前記ウェイト受け入れ部は、前記開口を通じてウェイトの挿入を受け入れるように構成されており、
前記ウェイト受け入れ部は、前記クラウンの下側及び前記ソールの上側に接続されて前記クラウンから前記ソールに延びる受け入れチューブを備え、
前記ウェイト受け入れ部は、ウェイト受け入れ軸を画定し、
前記ウェイト受け入れ軸は、前記ゴルフクラブヘッドの垂直軸に対して角度が付けられており、前記ウェイト受入れ部の前記開口とは反対側に位置する一端は、前記開口よりも、前記本体の前記背面に近接する、ゴルフクラブヘッド。
【請求項２】
前記ゴルフクラブヘッドの垂直軸と、前記ウェイト受け入れ軸との間の角度は、２０度から５０度の間である、請求項１に記載のゴルフクラブヘッド。
【請求項３】
前記受け入れチューブ内に受け入れられたウェイトをさらに備え、
前記ウェイトは、重量部分と軽量部分とを有し、
前記ウェイトは、取り外し可能であるとともに、前記ゴルフクラブヘッドの重量特性を調整するために、前記受け入れチューブ内の複数の位置へ挿入可能である、請求項２に記載のゴルフクラブヘッド。
【請求項４】
前記受け入れチューブは、前記開口に近接するねじ部を含み、
前記ゴルフクラブヘッドは、前記受け入れチューブ内で前記ねじ部と取り外し可能に係合して前記受け入れチューブ内に前記ウェイトを保持するねじ付き締結具をさらに備える、請求項３に記載のゴルフクラブヘッド。
【請求項５】
前記ソールは、前記ソール内で隣接するエリアに対して内側へ凹設された凹部エリアを有し、前記凹部エリアは前記開口を取り囲んでいる、請求項３に記載のゴルフクラブヘッド。
【請求項６】
前記クラウンから前記ソールまで延びるとともに前記ウェイト受け入れ部から前記ボディの前記トゥまで延びる第１の壁と、前記クラウンから前記ソールまで延びるとともに前記ウェイト受け入れ部から前記ボディの前記ヒールまで延びる第２の壁とをさらに備えており、
前記第１の壁及び前記第２の壁は、前記第１の壁及び前記第２の壁と前記打球フェースとの間に完全に囲まれた内側空洞を画定しており、
前記第１の壁及び前記第２の壁は、前記空隙を前記内側空洞から分離している、請求項２に記載のゴルフクラブヘッド。
【請求項７】
前記リップは、前記周縁全体の周りを延びている、請求項１に記載のゴルフクラブヘッド。
【請求項８】
前記周縁は、前記空隙をＵ字形状に画定しており、
前記Ｕ字形状は、
前記ボディの前記背面近傍から前記フェースに向かって延びるヒール部分及びトゥ部分と、
前記ボディの前記背面近傍において前記ヒール部分と前記トゥ部分とを接続する接続部分とを有し、
前記空隙は、前記ソール上で前記フェースに近接する点から後方に延びる半島部を画定ており、
前記ヒール部分及び前記トゥ部分は前記半島部の両側に位置する、請求項１に記載のゴルフクラブヘッド。
【請求項９】
前記リップは、前記半島部の全体の周りを延びる、請求項８に記載のゴルフクラブヘッド。
【請求項１０】
前記ボディの頂部から前記ソールまで延びるとともに前記ボディの前記ヒールから前記トゥまで延びる少なくとも一つの壁をさらに備え、
前記少なくとも一つの壁と前記打球フェースとの間に完全に囲まれた内側空洞が画定されており、
前記少なくとも一つの壁は、前記空隙を前記内側空洞から分離している、請求項１に記載のゴルフクラブヘッド。
【請求項１１】
請求項１に記載のゴルフクラブヘッドと、前記ゴルフクラブヘッドに接続されたシャフトとを備えるゴルフクラブ。
【請求項１２】
ゴルフクラブヘッドであって、
打球フェースと、前記打球フェースの反対側の背面と、クラウンと、ソールと、ヒールと、トゥとを有するボディであって、前記ソール上の周縁によって画定された空隙を有するとともに、前記空隙上を延びてクラウンの少なくとも一部分を形成するカバーをさらに画定する前記ボディと、
前記ソールに接続されるとともに前記ソール内に開口を有し、前記開口を通じてウェイトの挿入を受け入れるように構成されたウェイト受け入れ部であって、前記クラウンの下側及び前記ソールの上側に接続されて前記クラウンから前記ソールまで延びる受け入れチューブをさらに有し、前記受け入れチューブの外面の少なくとも一部分が前記空隙に露出されるウェイト受け入れ部と、
を備え、
前記ソールは、前記ソール内で隣接するエリアに対して内側へ凹設された凹部エリアを有し、前記凹部エリアは前記開口を取り囲んでおり、
前記ウェイト受け入れ部は、ウェイト受け入れ軸を画定し、
前記ウェイト受け入れ軸は、前記ゴルフクラブヘッドの垂直軸に対して角度が付けられており、前記ウェイト受入れ部の前記開口とは反対側に位置する一端は、前記開口よりも、前記本体の前記背面に近接する、ゴルフクラブヘッド。
【請求項１３】
前記ゴルフクラブヘッドの垂直軸と、前記ウェイト受け入れ軸との間の角度は、２０度から５０度の間である、請求項１２に記載のゴルフクラブヘッド。
【請求項１４】
前記受け入れチューブ内に受け入れられたウェイトをさらに備え、
前記ウェイトは、重量部分と軽量部分とを有し、
前記ウェイトは、取り外し可能であるとともに、前記ヘッドの重量特性を調整するために、前記受け入れチューブ内の複数の位置へ挿入可能である、請求項１３に記載のゴルフクラブヘッド。
【請求項１５】
前記受け入れチューブは、前記開口に近接するねじ部を含み、
前記ゴルフクラブヘッドは、前記受け入れチューブ内で前記ねじ部と取り外し可能に係合することによって前記受け入れチューブ内に前記ウェイトを保持するねじ付き締結具をさらに備える、請求項１３に記載のゴルフクラブヘッド。
【請求項１６】
前記クラウンから前記ソールまで延びるとともに前記受け入れチューブから前記ボディの前記トゥまで延びる第１の壁と、前記クラウンから前記ソールまで延びるとともに前記受け入れチューブから前記ボディの前記ヒールまで延びる第２の壁とをさらに備えており、
前記第１の壁及び前記第２の壁は、前記第１の壁及び前記第２の壁と前記打球フェースとの間に完全に囲まれた内側空洞を画定しており、
前記第１の壁及び前記第２の壁は、前記空隙を前記内側空洞から分離している、請求項１２に記載のゴルフクラブヘッド。
【請求項１７】
前記周縁全体の周りで前記周縁から内側に前記空隙内へと延びるリップをさらに備える、請求項１２に記載のゴルフクラブヘッド。
【請求項１８】
前記周縁は、前記空隙をＵ字形状に画定しており、
前記Ｕ字形状は、
前記ボディの前記背面近傍から前記フェースに向かって延びるヒール部分及びトゥ部分と、
前記ボディの前記背面近傍において前記ヒール部分と前記トゥ部分とを接続する接続部分とを有し、
前記空隙は、前記ソール上で前記フェースに近接する点から後方に延びる半島部を画定しており、
前記ヒール部分及び前記トゥ部分は前記半島部の両側に位置しており、
前記受け入れチューブは、前記半島部に接続されており、前記開口が前記半島部を通過している、請求項１２に記載のゴルフクラブヘッド。
【請求項１９】
前記受け入れチューブは、前記ゴルフクラブヘッドの垂直軸に沿って設けられている、請求項１２に記載のゴルフクラブヘッド。
【請求項２０】
前記ソールに接続されているとともに前記ソール内に第２の開口を有する第２のウェイト受け入れ部をさらに備え、
前記第２のウェイト受け入れ部は、前記第２の開口を通じて第２のウェイトの挿入を受け入れるように構成されているとともに、前記クラウンの下側及び前記ソールの上側に接続されて前記クラウンから前記ソールまで延びる第２の受け入れチューブをさらに有し、
前記第１のウェイト受け入れ部と前記第２のウェイト受け入れ部とは、互いに斜角を成す向きで設けられている、請求項１２に記載のゴルフクラブヘッド。
【請求項２１】
前記受け入れチューブ内に受け入れられたウェイトと、前記第２の受け入れチューブ内に受け入れられた第２のウェイトとをさらに備え、
前記ウェイト及び前記第２のウェイトの各々は、重量部分と軽量部分とを有し、
前記ウェイト及び前記第２のウェイトは、取り外し可能であるとともに、前記ヘッドの重量特性を調整するために、それぞれ前記受け入れチューブ及び前記第２の受け入れチューブ内の複数の位置まで挿入可能である、請求項２０に記載のゴルフクラブヘッド。
【請求項２２】
請求項１２に記載のゴルフクラブヘッドと、前記ゴルフクラブヘッドに接続されたシャフトとを備えるゴルフクラブ。
【外国語明細書】
2019080940000001.pdf
2019080940000002.pdf
2019080940000003.pdf
2019080940000004.pdf